(57)【要約】      （修正有）【課題】繊維製品の品位低下をより良好に防げる繊維製品用の液体洗浄剤を提供する。【解決手段】（Ａ）一般式（ａ１）で表される化合物（Ａ１）を含むノニオン界面活性剤と、（Ｂ）アルキルアミドアミンを含有し、さらに、（Ｃ）高級脂肪酸、（Ｄ）オイル型、オイルコンパウンド型、エマルション型、自己乳化型から選択される消泡シリコーン、（Ｅ）特定の脂肪酸エステル、及び（Ｆ）特定のプロピレンオキシド付加物から選ばれる一種以上を含有し、質量比（Ａ１）／（Ｂ）が４〜２０である、繊維製品用の液体洗浄剤。Ｒ21−Ｏ−（Ｒ２2Ｏ）ｎ−Ｈ・・・（ａ１）、式（ａ１）中、Ｒ２１はＣ１２〜１６のアルキル基、Ｒ２２はＣ２〜４のアルキレン基を表し、ｎは３〜１０である。【選択図】なし【特許請求の範囲】
【請求項１】
（Ａ）下記一般式（ｆ１）〜（ｆ３）のいずれかで表されるアルコールのプロピレンオキシド付加物以外のノニオン界面活性剤であって、下記一般式（ａ１）で表される化合物（Ａ１）を含むノニオン界面活性剤と、
（Ｂ）下記一般式（ｂ）で表されるアルキルアミドアミンを含有し、さらに、
（Ｃ）高級脂肪酸、（Ｄ）オイル型、オイルコンパウンド型、エマルション型、自己乳化型から選択される消泡シリコーン、（Ｅ）下記一般式（ｅ）で表される脂肪酸エステル、及び（Ｆ）下記一般式（ｆ１）〜（ｆ３）のいずれかで表されるアルコールのプロピレンオキシド付加物から選ばれる一種以上を含有し、
前記（Ｂ）の質量に対する前記（Ａ１）の質量の比（Ａ１）／（Ｂ）が４〜２０である、繊維製品用の液体洗浄剤。
Ｒ21−Ｏ−（Ｒ２2Ｏ）ｎ−Ｈ  ・・・（ａ１）
【化１】
2019182970.tif 000010
Ｘ−ＣＯＯ−Ｙ  ・・・（ｅ）
【化２】
2019182970.tif 000011
式（ａ１）中、Ｒ２１は分岐鎖を有する炭素数１２〜１６のアルキル基、又は炭素数１２〜１６の直鎖アルキル基を示し、Ｒ２１が前記直鎖アルキル基の場合、酸素原子は、前記直鎖アルキル基中の２級炭素原子に結合する。Ｒ２２は炭素数２〜４のアルキレン基を表す。また、ｎはＲ２２Ｏの平均繰り返し数を示し３〜１０である。
式（ｂ）中、Ｒ１０は、炭素数９〜２３の直鎖もしくは分岐鎖の炭化水素基である。Ｒ１１は、炭素数１〜４の直鎖又は分岐鎖のアルキレン基である。Ｒ１２及びＲ１３は、それぞれ独立に炭素数１〜４の直鎖もしくは分岐鎖のアルキル基、炭素数１〜４の直鎖もしくは分岐鎖のヒドロキシアルキル基、又はオキシエチレン基の平均繰り返し数が１〜２５の（ポリ）オキシエチレン基である。
式（ｅ）中、Ｘは、炭素数５〜２１の分岐鎖状アルキル基、又は炭素数５〜２１の直鎖状アルキル基である。Ｘが直鎖状アルキル基である場合、式（ｅ）中のカルボニル基の炭素原子に結合する炭素原子は第２級炭素原子である。Ｙは、炭素数３〜１６のアルキル基、又は−（Ｒ３１Ｏ）ｍ１−Ｒ３２である。Ｒ３１は、炭素数２〜４のアルキレン基である。ｍはＲ３１Ｏの平均繰り返し数を示し１〜５である。Ｒ３２は、炭素数１〜１６のアルキル基、フェニル基又はベンジル基である。
式（ｆ１）中、Ｒ１は炭素数１〜８の炭化水素基を示し、ＰＯはオキシプロピレン基を示し、ｎ１はＰＯの平均繰り返し数を示し１０〜３５０である。
式（ｆ２）中、ＰＯはオキシプロピレン基を示し、ｎ２、ｎ３はそれぞれ独立にＰＯの平均繰り返し数を示し、ｎ２、ｎ３の合計は１０〜３５０である。
式（ｆ３）中、ＰＯはオキシプロピレン基を示し、ｎ４、ｎ５、ｎ６はそれぞれ独立にＰＯの平均繰り返し数を示し、ｎ４、ｎ５、ｎ６の合計は１０〜３５０である。
【請求項２】
前記（Ｃ）、（Ｄ）、（Ｅ）、及び（Ｆ）の含有量の合計が０．０００１〜１０質量％である、請求項１に記載の繊維製品用の液体洗浄剤。
【請求項３】
前記（Ａ）の質量に対する前記（Ａ１）の質量の比（Ａ１）／（Ａ）が０．００１〜０．８である、請求項１または２に記載の繊維製品用の液体洗浄剤。
【請求項４】
請求項１〜３のいずれか一項に記載の液体洗浄剤を含む洗浄液中で繊維製品を攪拌し、脱水した後、前記液体洗浄剤を含まない濯ぎ用水の中で繊維製品を攪拌し、脱水する操作を一回のみ行う、繊維製品の洗濯方法。
【請求項５】
前記液体洗浄剤を含む洗浄液中で繊維製品を攪拌する際の前記繊維製品の質量に対する前記洗浄液の質量の比が１５〜３０であり、前記濯ぎ用水中で前記繊維製品を攪拌する際の前記繊維製品の質量に対する前記濯ぎ用水の質量の比が１５〜３０である、請求項４に記載の繊維製品の洗濯方法。
【発明の詳細な説明】
【技術分野】
【０００１】
本発明は、繊維製品用の液体洗浄剤に関する。
【背景技術】
【０００２】
衣料等の繊維製品は、洗濯や着用の際に製品同士が擦れ合って、毛玉を生じる。特に、ウールや化学繊維から構成されるニット製品は、洗濯や着用によって、品位低下を生じやすい。これらの品位低下は、いわゆるおしゃれ着にとって大きな問題となる。
こうした問題に対し、特に着用時における繊維製品の品位低下の防止を図った洗浄剤が提案されている（特許文献１）。
【先行技術文献】
【特許文献】
【０００３】
【特許文献１】特開２０１５−１２７３６９号公報
【発明の概要】
【発明が解決しようとする課題】
【０００４】
しかしながら、従来の技術は、着用時の品位低下の防止を図れるものの、洗濯による品位低下の防止が充分でなかった。
そこで、本発明は、繊維製品の品位低下をより良好に防げる繊維製品用の液体洗浄剤を提供することを目的とする。
【課題を解決するための手段】
【０００５】
本発明は以下の態様を有する。
［１］（Ａ）下記一般式（ｆ１）〜（ｆ３）のいずれかで表されるアルコールのプロピレンオキシド付加物以外のノニオン界面活性剤であって、下記一般式（ａ１）で表される化合物（Ａ１）を含むノニオン界面活性剤と、
（Ｂ）下記一般式（ｂ）で表されるアルキルアミドアミンを含有し、さらに、
（Ｃ）高級脂肪酸、（Ｄ）オイル型、オイルコンパウンド型、エマルション型、自己乳化型から選択される消泡シリコーン、（Ｅ）下記一般式（ｅ）で表される脂肪酸エステル、及び（Ｆ）下記一般式（ｆ１）〜（ｆ３）のいずれかで表されるアルコールのプロピレンオキシド付加物から選ばれる一種以上を含有し、
前記（Ｂ）の質量に対する前記（Ａ１）の質量の比（Ａ１）／（Ｂ）が４〜２０である、繊維製品用の液体洗浄剤。
Ｒ21−Ｏ−（Ｒ２2Ｏ）ｎ−Ｈ  ・・・（ａ１）
【化１】
2019182970.tif 000002
Ｘ−ＣＯＯ−Ｙ  ・・・（ｅ）
【化２】
2019182970.tif 000003
式（ａ１）中、Ｒ２１は分岐鎖を有する炭素数１２〜１６のアルキル基、又は炭素数１２〜１６の直鎖アルキル基を示し、Ｒ２１が前記直鎖アルキル基の場合、酸素原子は、前記直鎖アルキル基中の２級炭素原子に結合する。Ｒ２２は炭素数２〜４のアルキレン基を表す。また、ｎはＲ２２Ｏの平均繰り返し数を示し３〜１０である。
式（ｂ）中、Ｒ１０は、炭素数９〜２３の直鎖もしくは分岐鎖の炭化水素基である。Ｒ１１は、炭素数１〜４の直鎖又は分岐鎖のアルキレン基である。Ｒ１２及びＲ１３は、それぞれ独立に炭素数１〜４の直鎖もしくは分岐鎖のアルキル基、炭素数１〜４の直鎖もしくは分岐鎖のヒドロキシアルキル基、又はオキシエチレン基の平均繰り返し数が１〜２５の（ポリ）オキシエチレン基である。
式（ｅ）中、Ｘは、炭素数５〜２１の分岐鎖状アルキル基、又は炭素数５〜２１の直鎖状アルキル基である。Ｘが直鎖状アルキル基である場合、式（ｅ）中のカルボニル基の炭素原子に結合する炭素原子は第２級炭素原子である。Ｙは、炭素数３〜１６のアルキル基、又は−（Ｒ３１Ｏ）ｍ１−Ｒ３２である。Ｒ３１は、炭素数２〜４のアルキレン基である。ｍはＲ３１Ｏの平均繰り返し数を示し１〜５である。Ｒ３２は、炭素数１〜１６のアルキル基、フェニル基又はベンジル基である。
式（ｆ１）中、Ｒ１は炭素数１〜８の炭化水素基を示し、ＰＯはオキシプロピレン基を示し、ｎ１はＰＯの平均繰り返し数を示し１０〜３５０である。
式（ｆ２）中、ＰＯはオキシプロピレン基を示し、ｎ２、ｎ３はそれぞれ独立にＰＯの平均繰り返し数を示し、ｎ２、ｎ３の合計は１０〜３５０である。
式（ｆ３）中、ＰＯはオキシプロピレン基を示し、ｎ４、ｎ５、ｎ６はそれぞれ独立にＰＯの平均繰り返し数を示し、ｎ４、ｎ５、ｎ６の合計は１０〜３５０である。
【０００６】
［２］前記（Ｃ）、（Ｄ）、（Ｅ）、及び（Ｆ）の含有量の合計が０．０００１〜１０質量％である、［１］に記載の繊維製品用の液体洗浄剤。
［３］前記（Ａ）の質量に対する前記（Ａ１）の質量の比（Ａ１）／（Ａ）が０．００１〜０．８である、［１］または［２］に記載の繊維製品用の液体洗浄剤。
【０００７】
［４］［１］〜［３］に記載の液体洗浄剤を含む洗浄液中で繊維製品を攪拌し、脱水した後、前記液体洗浄剤を含まない濯ぎ用水の中で繊維製品を攪拌し、脱水する操作を一回のみ行う、繊維製品の洗濯方法。
［５］前記液体洗浄剤を含む洗浄液中で繊維製品を攪拌する際の前記繊維製品の質量に対する前記洗浄液の質量の比が１５〜３０であり、前記濯ぎ用水中で前記繊維製品を攪拌する際の前記繊維製品の質量に対する前記濯ぎ用水の質量の比が１５〜３０である、［４］に記載の繊維製品の洗濯方法。
【発明の効果】
【０００８】
本発明の繊維製品用の液体洗浄剤によれば、洗濯時のこすれによる毛玉の発生を抑制できる。また、泡切れが良く、濯ぎを１回のみとすることが可能なため、洗濯によるこすれを最小現に減らすことができる。そのため、繊維製品の品位低下をより良好に防止することができる。
【発明を実施するための形態】
【０００９】
［液体洗浄剤］
本発明の繊維製品用の液体洗浄剤（以下、単に液体洗浄剤ということがある）は、（Ａ）特定の化合物（Ａ１）を含むノニオン界面活性剤と（Ｂ）特定のアルキルアミドアミンとを含有し、さらに（Ｃ）高級脂肪酸、（Ｄ）特定の消泡シリコーン、（Ｅ）特定の脂肪酸エステル、及び（Ｆ）特定のアルコールのプロピレンオキシド体から選ばれる一種以上を含有する組成物である。
以下、（Ａ）特定のノニオン界面活性剤を（Ａ）成分と、特定の化合物（Ａ１）を（Ａ１）成分と、（Ｂ）特定のアルキルアミドアミンを（Ｂ）成分と、（Ｃ）高級脂肪酸を（Ｃ）成分と、（Ｄ）特定の消泡シリコーンを（Ｄ）成分と、（Ｅ）特定の脂肪酸エステルを（Ｅ）成分と、（Ｆ）特定のアルコールのプロピレンオキシド体を（Ｆ）成分と称する場合がある。
【００１０】
＜（Ａ）成分＞
（Ａ）成分は、後述の（Ｆ）成分以外のノニオン界面活性剤である。（Ａ）成分には、下記一般式（ａ１）で表される化合物（Ａ１）が含まれる。（Ａ）成分は繊維製品から汚れを除去する洗浄成分として機能する。また、（Ａ１）成分を含むことにより、（Ｂ）成分が繊維製品に浸透しやすくなり、毛玉防止性が向上しやすくなる。
Ｒ２１−Ｏ−（Ｒ２２Ｏ）ｎ−Ｈ  ・・・（ａ１）
【００１１】
式（ａ１）中、Ｒ２１は分岐鎖を有する炭素数１２〜１６のアルキル基、又は炭素数１２〜１６の直鎖アルキル基を示し、Ｒ２１が前記直鎖アルキル基の場合、酸素原子は、前記直鎖アルキル基中の２級炭素原子に結合する。Ｒ２２は炭素数２〜４のアルキレン基を表す。また、ｎはＲ２２Ｏの平均繰り返し数で３〜１０である。
【００１２】
式（ａ１）中、Ｒ２１は、炭素数１２〜１６の直鎖アルキル基であることが好ましく、炭素数１２〜１４の直鎖アルキル基であることがより好ましい。
Ｒ２２Ｏとしては、オキシエチレン基、オキシプロピレン基、オキシブチレン基が挙げられ、このうち、液安定性の観点から、オキシエチレン基、又はオキシプロピレン基が好ましく、オキシエチレン基のみ、あるいはオキシエチレン基とオキシプロピレン基の両方であることがより好ましい。オキシエチレン基とオキシプロピレン基の両方であるである場合、オキシエチレン基とオキシプロピレン基はランダムであっても、ブロックであってもよい。
ｎは、Ｒ２２Ｏの平均繰り返し数で３〜１０の数であり、３〜７が好ましく、３〜５がより好ましく、３が特に好ましい。
【００１３】
（Ａ１）成分としては、市販品を使用してもよい。市販品としては、例えば、三菱化学株式会社製のダイヤドール（登録商標）（Ｃ１３、Ｃの次の数字は、アルコールの炭素数を示す。以下同様。）、Ｓｈｅｌｌ社製のＮｅｏｄｏｌ（登録商標）（Ｃ１２とＣ１３との混合物）、Ｓａｓｏｌ社製のＳａｆｏｌ（登録商標）２３（Ｃ１２とＣ１３との混合物）、ＥＸＸＡＬ（登録商標）１３（Ｃ１３）等のアルコールに対して、３〜１０モル相当のエチレンオキシドを付加したもの；
ブテンを３量化して得られる炭素数１２のアルケンをオキソ法に供して得られるＣ１３のアルコールに対して、３又は５モル相当、もしくは７モル相当のエチレンオキシドを付加したもの（Ｌｕｔｅｎｓｏｌ（登録商標）  ＴＯ３、Ｌｕｔｅｎｓｏｌ  ＴＯ５、Ｌｕｔｅｎｓｏｌ  ＴＯ７、ＢＡＳＦ社製）；
ペンタノールをガーベット反応に供して得られるＣ１０のアルコールに対して、９モル相当のエチレンオキシドを付加したもの（Ｌｕｔｅｎｓｏｌ  ＸＰ９０、ＢＡＳＦ社製）；
ペンタノールをガーベット反応に供して得られるＣ１０のアルコールに対して、７モル相当のエチレンオキシドを付加したもの（Ｌｕｔｅｎｓｏｌ  ＸＬ７０、ＢＡＳＦ社製）；
ペンタノールをガーベット反応に供して得られるＣ１０のアルコールに対して、６モル相当のエチレンオキシドを付加したもの（Ｌｕｔｅｎｓｏｌ  ＸＡ６０、ＢＡＳＦ社製）；
Ｃ１２〜１４の第２級アルコールに対して、３又は５又は７又は９モル相当のエチレンオキシドを付加したもの（ソフタノール（登録商標）３０、ソフタノール５０、ソフタノール７０、ソフタノール９０、株式会社日本触媒製）等が挙げられる。
【００１４】
繊維への浸透のしやすさの観点から、（Ａ１）成分としては、Ｒ２１が炭素数１２〜１４の直鎖アルキル基であって、酸素原子は、Ｒ２１中の２級炭素原子に結合し、ｎが３であるものが好ましい。中でも、Ｒ２２Ｏがオキシエチレン基であるものが好ましい。
Ｒ２１が炭素数１２〜１４の直鎖アルキル基であって、酸素原子は、Ｒ２１中の２級炭素原子に結合し、Ｒ２２Ｏがオキシエチレン基であり、ｎが３である市販品としては、ソフタノール３０が挙げられる。
（Ａ１）成分は、１種単独で用いられてもよく、２種以上が組み合わされて用いられてもよい。
【００１５】
（Ａ１）成分および（Ｆ）成分以外の（Ａ）成分（以下、（Ａ２）成分という場合がある。）としては、本発明の効果を有する限り特に限定されない。
例えば、脂肪酸アルキルエステル、高級アルコール（炭素数８〜２２のアルコール）、アルキルフェノール、高級脂肪酸（炭素数８〜２２の脂肪酸）、高級脂肪酸アルキルエステル（炭素数８〜２２の脂肪酸残基を有するエステル）又は高級アミン（炭素数８〜２２のアルキル基を有するアミン）等のアルキレンオキシド付加体、ポリオキシエチレンポリオキシプロピレンブロックコポリマー、脂肪酸アルカノールアミン、脂肪酸アルカノールアミド、多価アルコール脂肪酸エステル又はそのアルキレンオキシド付加体、多価アルコール脂肪酸エーテル、アルキルアミンオキシド、アルケニルアミンオキシド、硬化ヒマシ油のアルキレンオキシド付加体、糖脂肪酸エステル、Ｎ−アルキルポリヒドロキシ脂肪酸アミド、アルキルグルコシド等が挙げられる。
【００１６】
中でも、下記一般式（ａ２）で表される（Ａ１）成分以外のポリオキシアルキレン型ノニオン界面活性剤（以下、「（ａ２）成分」ということがある。）が好ましい。
Ｒ７１−Ｊ−（ＥＯ）ｐ（ＰＯ）ｑ−Ｒ７２  ・・・（ａ２）
【００１７】
式（ａ２）中、Ｒ７１は、炭素数８〜２２の炭化水素基を示し、Ｒ７２は、水素原子、炭素数１〜６のアルキル基又は炭素数２〜６のアルケニル基を表す。
Ｊは、−Ｏ−、−ＣＯＯ−、−ＣＯＮＨ−等の官能基を表す。
ＥＯはオキシエチレン基を示し、ＰＯはオキシプロピレン基を表す。
ｐは、ＥＯの平均繰り返し数（即ち、エチレンオキシドの平均付加モル数）を表す３〜２０の数である。
ｑは、ＰＯの平均繰り返し数（即ち、プロピレンオキシドの平均付加モル数）を表す０〜６の数である。
【００１８】
ただし、Ｊが−Ｏ−であり、ｐとｑの合計が３〜１０であり、Ｒ７２が水素原子であるとき、Ｒ７１は、分岐鎖を有する炭素数１２〜１６のアルキル基ではない。
また、Ｊが−Ｏ−であり、ｐとｑの合計が３〜１０であり、Ｒ７２が水素原子であり、かつ、ＪがＲ７１中の２級炭素原子に結合するとき、Ｒ７１は、炭素数１２〜１６の直鎖アルキル基ではない。
【００１９】
Ｒ７１の炭素数は８〜２２であり、好ましくは１０〜１８である。炭素数が上記範囲内であれば、液体洗浄剤の洗浄力がより高まる。
Ｒ７１は、不飽和結合を有していてもよく、有していなくてもよい。
Ｒ７１としては、アルキル基又はアルケニル基が好ましい。
また、Ｒ７１は、直鎖であっても分岐鎖であってもよい。
Ｒ７１としては、１級又は２級の高級アルコール、高級脂肪酸、高級脂肪酸アミド等に由来する炭化水素基が挙げられる。
【００２０】
Ｒ７２は、水素原子、炭素数１〜６のアルキル基又は炭素数２〜６のアルケニル基である。
Ｒ７２がアルキル基である場合、Ｒ７２の炭素数は１〜３が好ましい。
Ｒ７２がアルケニル基である場合、Ｒ７２の炭素数は２〜３が好ましい。
【００２１】
式（ａ２）中、Ｊが−Ｏ−の場合、（Ａ２）成分は、アルキルエーテル型ノニオン界面活性剤である。
Ｊが−Ｏ−の場合、洗浄力向上の観点から、Ｒ７１は、炭素数１０〜２０の直鎖状アルキル基もしくは炭素数１０〜２０の分岐鎖状のアルキル基、又は炭素数１０〜２０の直鎖状のアルケニル基もしくは炭素数１０〜２０の分岐鎖状のアルケニル基が好ましく、炭素数１０〜１８の直鎖状のアルキル基もしくは炭素数１０〜１８の分岐鎖状のアルキル基、又は炭素数１０〜１８の直鎖状のアルケニル基もしくは炭素数１０〜１８の分岐鎖状のアルケニル基がより好ましい。Ｊが−Ｏ−の場合、Ｒ７２は水素原子が好ましい。
【００２２】
式（ａ２）中、Ｊが−ＣＯＯ−の場合、（Ａ２）成分は脂肪酸エステル型ノニオン界面活性剤である。
Ｊが−ＣＯＯ−の場合、洗浄力向上の観点から、Ｒ７１は、炭素数９〜２１の直鎖状のアルキル基もしくは炭素数９〜２１の分岐鎖状のアルキル基、又は炭素数９〜２１の直鎖状のアルケニル基もしくは炭素数９〜２１の分岐鎖状のアルケニル基が好ましく、炭素数１１〜１７の直鎖状のアルキル基もしくは炭素数１１〜１７の分岐鎖状のアルキル基、又は炭素数１１〜１７の直鎖状のアルケニル基もしくは炭素数１１〜１７の分岐鎖状のアルケニル基がより好ましい。Ｊが−ＣＯＯ−の場合、Ｒ７２は、炭素数１〜３のアルキル基が好ましい。
【００２３】
ｐは、３〜２０の数であり、５〜１８の数が好ましい。ｐが前記上限値以下であれば、ＨＬＢ値が高くなりすぎず、洗浄力が低下しにくい。ｐが前記下限値以上であれば、（ｄ１）成分自体の原料に由来する臭気が発生しにくい。
ｑは、０〜６の数であり、０１〜３の数が好ましい。ｑが前記上限値以下であれば、高温条件下での保存安定性が低下しにくい。
「−（ＥＯ）ｐ（ＰＯ）ｑ−」は、ＥＯとＰＯとが混在して配列するランダム鎖であっても、ブロック状に配列するブロック鎖であってもよい。
【００２４】
（Ａ２）成分において、ＥＯ又はＰＯの繰り返し数の分布は、本発明の効果を有する限り特に限定されない。（Ａ２）成分において、ＥＯ又はＰＯの繰り返し数の分布は、（Ａ２）成分を製造する際の反応方法によって変動しやすい。
ＥＯ又はＰＯの繰り返し数の分布は、エチレンオキシド又はプロピレンオキシドを、例えば、水酸化ナトリウム、水酸化カリウム等の一般的なアルカリ触媒を用いて、原料（１級又は２級の高級アルコール、高級脂肪酸、高級脂肪酸アミド等）に付加させた際には、比較的広い分布となる傾向にある。
【００２５】
ＥＯ又はＰＯの繰り返し数の分布は、エチレンオキシド又はプロピレンオキシドを、例えば、特公平６−１５０３８号公報に記載のＡｌ３＋、Ｇａ３＋、Ｉｎ３＋、Ｔｌ３＋、Ｃｏ３＋、Ｓｃ３＋、Ｌａ３＋、Ｍｎ２＋等の金属イオンを添加した酸化マグネシウム等の特定のアルコキシル化触媒を用いて、原料に付加させた際には、比較的狭い分布となる傾向にある。
【００２６】
（Ａ２）成分としては、市販品を使用してもよい。市販品としては、例えば、プロクター・アンド・ギャンブル社製のＣＯ−１２１４又はＣＯ−１２７０（商品名）等の直鎖状の天然アルコールに対して、１２モル相当又は１５モル相当のエチレンオキシドを付加したもの；
ブテンを３量化して得られる炭素数１２のアルケンをオキソ法に供して得られるＣ１３のアルコールに対して、１２モル相当又は１５モル相当のエチレンオキシドを付加したもの（Ｌｕｔｅｎｓｏｌ（登録商標）  ＴＯ１２、Ｌｕｔｅｎｓｏｌ  ＴＯ１５等、ＢＡＳＦ社製）；
Ｃ１２〜１４の第２級アルコールに対して、１２モル相当又は１５モル相当のエチレンオキシドを付加したもの（ソフタノール（登録商標）１２０、ソフタノール１５０、株式会社日本触媒製）；
ヤシ脂肪酸メチル（ラウリン酸／ミリスチン酸＝８／２）に対して、アルコキシル化触媒を用いて、１５モル相当のエチレンオキシドを付加したもの（ポリオキシエチレンヤシ脂肪酸メチルエステル（ＥＯ１５モル））等が挙げられる。
【００２７】
これらの中でも、濯ぎ性、毛玉防止性（（Ｂ）成分の吸着促進）、洗浄力の観点から、プロクター・アンド・ギャンブル社製の直鎖状天然アルコール（例えばＣＯ−１２７０）に対して、平均１２モル相当のエチレンオキシドを付加したもの、およびプロクター・アンド・ギャンブル社製の直鎖状天然アルコール（例えばＣＯ−１２７０）に対して、平均１０モル相当のエチレンオキシドを付加したもの；
Ｃ１２〜１４の直鎖１級アルコールに対して、エチレンオキシドの平均９モル、プロピレンオキシドの平均２モル、エチレンオキシドの平均９モルを、この順で付加させたポリオキシアルキレンアルキルエーテル；
式（ａ２）中、Ｒ7１が炭素数１２〜１４の直鎖アルキル基であり、Ｒ7２が水素原子であり、Ｊが−Ｏ−であり、ｐ＝２、ｑ＝１８である化合物が好ましい。
これらの成分は、１種単独で用いられてもよいし、２種以上が組み合わされて用いられてもよい。
【００２８】
液体洗浄剤中の（Ａ）成分全体の含有量は、液体洗浄剤の総質量に対して５〜５０質量％が好ましく、１０〜４０質量％がより好ましく、１５〜３０質量％がさらに好ましい。
洗浄液中の（Ａ）成分全体の含有量が好ましい下限値以上であることにより、洗浄力と(Ｂ)成分の繊維製品への浸透吸着効果が高くなりやすい。
また、洗浄液中の（Ａ）成分全体の含有量が好ましい上限値以下であることにより、濯ぎ性がより優れた洗浄液となりやすい。
液体洗浄剤を水に溶解した洗浄液中の（Ａ）成分全体の含有量は、洗浄液の総質量に対して５０〜１０００質量ｐｐｍであることが好ましく、７０〜８００質量ｐｐｍであることがより好ましく、１００〜６００質量ｐｐｍであることがさらに好ましい。
洗浄液中の（Ａ）成分全体の含有量が好ましい下限値以上であることにより、洗浄力と(Ｂ)成分の繊維製品への浸透吸着効果が高くなりやすい。
また、洗浄液中の（Ａ）成分全体の含有量が好ましい上限値以下であることにより、濯ぎ性がより優れた洗浄液となりやすい。
【００２９】
液体洗浄剤中の（Ａ１）成分の含有量は、液体洗浄剤の総質量に対して０．１〜３０質量％であることが好ましく、１〜２０質量％であることがより好ましく、１〜１０質量％であることがさらに好ましく、１〜３質量％が特に好ましい。
液体洗浄剤中の（Ａ１）成分の含有量が好ましい下限値以上であることにより、これを水に溶解すると、洗浄力と(Ｂ)成分の繊維製品への浸透吸着効果の高い洗浄液となりやすい。
また、液体洗浄剤中の（Ａ１）成分の含有量が好ましい上限値以下であることにより、これを水に溶解すると、濯ぎ性により優れた洗浄液となりやすい。
【００３０】
液体洗浄剤を水に溶解した洗浄液中の（Ａ１）成分の含有量は、洗浄液の総質量に対して１０〜５００質量ｐｐｍであることが好ましく、２０〜４００質量ｐｐｍであることがより好ましく、３０〜３５０質量ｐｐｍであることがさらに好ましい。
洗浄液中の（Ａ１）成分の含有量が好ましい下限値以上であることにより、洗浄力と(Ｂ)成分の繊維製品への浸透吸着効果が高くなりやすい。
また、洗浄液中の（Ａ１）成分の含有量が好ましい上限値以下であることにより、濯ぎ性がより優れた洗浄液となりやすい。
【００３１】
液体洗浄剤中の（Ａ２）成分の含有量は、液体洗浄剤の総質量に対して１〜５０質量％であることが好ましく、５〜３０質量％であることがより好ましく、１０〜２５質量％であることがさらに好ましく、１５〜２５質量％が特に好ましい。
液体洗浄剤中の（Ａ２）成分の含有量が好ましい下限値以上であることにより、これを水に溶解すると、洗浄性能が高い洗浄液となりやすい。
また、液体洗浄剤中の（Ａ２）成分の含有量が好ましい上限値以下であることにより、これを水に溶解すると、濯ぎ性に優れた洗浄液となりやすい。
【００３２】
液体洗浄剤を水に溶解した洗浄液中の（Ａ２）成分の含有量は、洗浄液の総質量に対して１０〜１０００質量ｐｐｍであることが好ましく、５０〜６００質量ｐｐｍであることがより好ましく、７０〜４００質量ｐｐｍであることがさらに好ましい。
洗浄液中の（Ａ２）成分の含有量が好ましい下限値以上であることにより、洗浄性能が高くなりやすい。
また、洗浄液中の（Ａ２）成分の含有量が好ましい上限値以下であることにより、濯ぎ性がより優れた洗浄液となりやすい。
【００３３】
（Ａ）成分全体の質量に対する（Ａ１）成分の質量の比（Ａ１）／（Ａ）は０．００１〜０．８が好ましく、０．０１〜０．７がより好ましく、０．０５〜０．６がさらに好ましく、０．０５〜０．２が特に好ましい。
（Ａ１）／（Ａ）が好ましい下限値以上であることにより、(Ｂ)成分の繊維製品への浸透吸着効果が高くなりやすい。
また、（Ａ１）／（Ａ）が好ましい上限値以下であることにより、洗浄剤の安定性を向上させることができるので、分離や固化が生じにくい。
【００３４】
＜（Ｂ）成分＞
（Ｂ）成分は、下記一般式（ｂ）で表されるアルキルアミドアミンである。（Ｂ）成分は、繊維製品に浸透し、毛玉防止の効果を発揮する。
【００３５】
【化３】
2019182970.tif 000004
【００３６】
式（ｂ）中、Ｒ１０は、炭素数９〜２３の直鎖もしくは分岐鎖の炭化水素基である。Ｒ１０の炭素数は１５〜２１が好ましい。上記範囲内であれば、繊維製品の洗濯液中での摩擦を低減し、毛玉の発生を抑制する効果に優れる。
Ｒ１０は、飽和炭化水素基でもよく、不飽和炭化水素基でもよい。
Ｒ１１は、炭素数１〜４の直鎖又は分岐鎖のアルキレン基である。Ｒ１１の炭素数は２〜３が好ましい。上記範囲内であれば、繊維製品の洗濯液中での摩擦を低減し、毛玉の発生を抑制する効果に優れる。
Ｒ１２及びＲ１３は、それぞれ独立に炭素数１〜４の直鎖もしくは分岐鎖のアルキル基、炭素数１〜４の直鎖もしくは分岐鎖のヒドロキシアルキル基、又はオキシエチレン基の平均繰り返し数が１〜２５の（ポリ）オキシエチレン基である。
Ｒ１２及びＲ１３は、メチル基もしくはエチル基であることが好ましい。
【００３７】
（Ｂ）成分としては、ラウリン酸ジメチルアミノプロピルアミド、ミリスチン酸ジメチルアミノプロピルアミド、パルミチン酸ジメチルアミノプロピルアミド、ステアリン酸ジメチルアミノプロピルアミド、ベヘニン酸ジメチルアミノプロピルアミド、オレイン酸ジメチルアミノプロピルアミド等の長鎖脂肪族アミドジアルキル３級アミン；
パルミテートエステルプロピルジメチルアミン、ステアレートエステルプロピルジメチルアミン等の脂肪族エステルジアルキル３級アミン；
パルミチン酸ジエタノールアミノプロピルアミド、ステアリン酸ジエタノールアミノプロピルアミド等の３級アミンが挙げられる。
中でも、ミリスチン酸ジメチルアミノプロピルアミド、パルミチン酸ジメチルアミノプロピルアミド、ステアリン酸ジメチルアミノプロピルアミド、ベヘニン酸ジメチルアミノプロピルアミド、オレイン酸ジメチルアミノプロピルアミドが好ましい。
【００３８】
（Ｂ）成分は、液体洗浄剤中、または液体洗浄剤を水に溶解した洗浄液中で塩の形で存在していてもよい。
（Ｂ）成分の塩としては、（Ｂ）成分を酸で中和した酸塩等が挙げられる。中和に用いられる酸としては、例えば、塩酸、硫酸、硝酸、リン酸、グリコール酸、乳酸、クエン酸、ポリアクリル酸、パラトルエンスルホン酸、クメンスルホン酸等が挙げられる。これらの酸は、１種単独で用いられてもよいし、２種以上が組み合わされて用いられてもよい。
【００３９】
（Ｂ）成分の内、長鎖脂肪族アミドジアルキル３級アミン等の脂肪族アミドアルキル３級アミンは、例えば以下の方法により製造することができる。
脂肪酸又は脂肪酸誘導体（脂肪酸低級アルキルエステル、動物性油脂もしくは植物性油脂等）と、ジアルキル（又はアルカノール）アミノアルキルアミンとを縮合反応させ、その後、未反応のジアルキル（又はアルカノール）アミノアルキルアミンを減圧又は窒素ブローにて留去することにより脂肪族アミドアルキル３級アミンを製造できる。
【００４０】
ここで、脂肪酸又は脂肪酸誘導体としては、ミリスチン酸、パルミチン酸、ステアリン酸、オレイン酸、ベヘニン酸、エルカ酸、１２−ヒドロキシステアリン酸、ヤシ油脂肪酸、綿実油脂肪酸、とうもろこし油脂肪酸、牛脂脂肪酸、パーム核油脂肪酸、大豆油脂肪酸、アマニ油脂肪酸、ヒマシ油脂肪酸、オリーブ油脂肪酸等の植物油又は動物油脂肪酸や、これらのメチルエステル、エチルエステル、グリセライド等が挙げられ、中でも、パルミチン酸、ステアリン酸、オレイン酸、ベヘニン酸等が好ましい。これら脂肪酸又は脂肪酸誘導体は、１種単独で用いられてもよいし、２種以上が組み合わされて用いられてもよい。
【００４１】
ジアルキル（又はアルカノール）アミノアルキルアミンとしては、例えば、ジメチルアミノプロピルアミン、ジメチルアミノエチルアミン、ジエチルアミノプロピルアミン、ジエチルアミノエチルアミン等が挙げられ、中でも、ジメチルアミノプロピルアミンが好ましい。
【００４２】
（Ｂ）成分の市販品としては、例えば、リポミンＡＰＡ１６８−６５Ｅ（ライオン・スペシャリティ・ケミカルズ（株）社製、ステアリン酸ジメチルアミノプロピルアミド）等が挙げられる。
（Ｂ）成分は、１種単独で用いられてもよいし、２種以上が組み合わされて用いられてもよい。
【００４３】
液体洗浄剤中の（Ｂ）成分の含有量（塩の場合もアルキルアミドアミンとしての含有量。以下同じ）は、液体洗浄剤の総質量に対して０．０１〜２０質量％であることが好ましく、０．０５〜１０質量％であることがより好ましく、０．１〜５質量％であることがさらに好ましい。
液体洗浄剤中の（Ｂ）成分の含有量が好ましい下限値以上であることにより、これを水に溶解すると、毛玉防止効果の高い洗浄液となりやすい。
また、液体洗浄剤中の（Ｂ）成分の含有量が好ましい上限値以下であることにより、これを水に溶解すると、濯ぎ性により優れた洗浄液となりやすい。
【００４４】
液体洗浄剤を水に溶解した洗浄液中の（Ｂ）成分の含有量は、洗浄液の総質量に対して０．０１〜１００質量ｐｐｍであることが好ましく、０．１〜８０質量ｐｐｍであることがより好ましく、１〜５０ｐｐｍであることがさらに好ましい。
洗浄液中の（Ｂ）成分の含有量が好ましい下限値以上であることにより、毛玉防止効果が高くなりやすい。
また、洗浄液中の（Ｂ）成分の含有量が好ましい上限値以下であることにより、濯ぎ性がより優れた洗浄液となりやすい。
【００４５】
（Ｂ）成分の質量に対する（Ａ１）成分の質量の比（Ａ１）／（Ｂ）は、４〜２０である。（Ａ１）／（Ｂ）は、５〜１５であることが好ましく、５〜１０であることがより好ましい。
（Ａ１）／（Ｂ）が４以上であることにより、毛玉防止効果を高めることができる。
また、（Ａ１）／（Ｂ）が２０以下であることにより、洗浄剤の安定性を向上させることができ、分離や固化が起こりにくくなる。
【００４６】
＜（Ｃ）成分＞
（Ｃ）成分は高級脂肪酸である。（Ｃ）成分は（Ｂ）成分との複合体を形成し、衣類のすべり性を向上に寄与する。また、水道水中の金属イオンと結合し、破泡効果を発揮する。
高級脂肪酸の炭化水素基の炭素数は、１０〜２０が好ましく、１２〜１８がより好ましい。（Ｃ）成分としては、カプリル酸、カプリン酸、ラウリン酸、ミリスチン酸、パルミチン酸、ステアリン酸、イソステアリン酸、ヒドロキシステアリン酸、オレイン酸、ベヘン酸等の単一脂肪酸、ヤシ油脂肪酸、牛脂脂肪酸等の混合脂肪酸が挙げられる。
【００４７】
（Ｃ）成分は１種単独で用いてもよく、２種以上を適宜組み合わせて用いてもよい。
組み合わせとしては、炭化水素基の炭素数が１２の脂肪酸と炭化水素基の炭素数が１４〜１８の脂肪酸との組み合わせが好ましく、炭素数１２の脂肪酸と、２種以上の炭化水素基の炭素数が１４〜１８の脂肪酸との組み合わせがより好ましい。
炭素数１２の脂肪酸の質量に対する炭素数１４〜１８の脂肪酸の質量の比である、［炭素数１４〜１８の脂肪酸］／［炭素数１２の脂肪酸］は、０．０３以上１０以下が好ましく、０．０５以上０．８以下が好ましく、０．０６以上０．５以下がより好ましい。
【００４８】
（Ｃ）成分は、液体洗浄剤中、または液体洗浄剤を水に溶解した洗浄液中で塩の形で存在していてもよい。
（Ｃ）成分の塩の形態としては、ナトリウム、カリウム等のアルカリ金属塩；マグネシウム等のアルカリ土類金属塩；モノエタノールアンモニウム、ジエタノールアンモニウム等のアルカノールアミン塩などが挙げられる。
（Ｃ）成分またはその塩の市販品としては、椰子脂肪酸ナトリウム（（椰子脂肪酸）日油株式会社製）を、ｐＨ調整剤である水酸化ナトリウムにより中和したもの）、Ｃ１６石鹸（（パルミチン酸ナトリウム）関東化学株式会社製）等が挙げられる。
【００４９】
液体洗浄剤中の（Ｃ）成分の含有量（塩の場合も高級脂肪酸としての含有量。以下同じ）は、液体洗浄剤の総質量に対して０．０１〜２０質量％であることが好ましく、０．０５〜１０質量％であることがより好ましく、０．０８〜５質量％であることがさらに好ましく、０．１〜１．５質量％が特に好ましい。
液体洗浄剤中の（Ｃ）成分の含有量が好ましい下限値以上であることにより、これを水に溶解すると、毛玉防止効果が高く濯ぎ性に優れた洗浄液となりやすい。
また、液体洗浄剤中の（Ｃ）成分の含有量が好ましい上限値以下であることにより、これを水に溶解すると、毛玉防止効果に優れた洗浄液となりやすい。
【００５０】
液体洗浄剤を水に溶解した洗浄液中の（Ｃ）成分の含有量は、洗浄液の総質量に対して０．０１〜１０００質量ｐｐｍであることが好ましく、０．１〜５００質量ｐｐｍであることがより好ましく、１〜１００質量ｐｐｍであることがさらに好ましい。
洗浄液中の（Ｃ）成分の含有量が好ましい下限値以上であることにより、毛玉防止効果が高く、優れた濯ぎ性も得やすい。
また、洗浄液中の（Ｃ）成分の含有量が好ましい上限値以下であることにより、毛玉防止効果に優れる。
【００５１】
＜（Ｄ）成分＞
（Ｄ）成分はオイル型、オイルコンパウンド型、エマルション型、自己乳化型から選択される消泡シリコーンである。（Ｄ）成分は（Ｂ）成分との疎水性相互作用により一緒に衣類へ吸着し、衣類のすべり性を向上に寄与する。また、消泡性を有するので、泡切れの向上に寄与する。
【００５２】
オイル型の消泡シリコーンは、未変性のシリコーンオイル１００％で構成され、シリカを含まない消泡剤である。市販品としては、ＳＨ２００（東レ・ダウコーニング株式会社）が挙げられる。
オイルコンパウンド型の消泡シリコーンは、シリコーンオイルに、微粉末シリカなどの水不溶性粒子を配合した消泡剤である。市販品としては、８５９０  Ａｄｄｉｔｉｖｅ（東レ・ダウコーニング株式会社）、ＡＦ−８０１４  アンチフォーム（東レ・ダウコーニング株式会社）、ＡＣ−８０６６  アンチフォーム（東レ・ダウコーニング株式会社）、ＡＣＰ−３０７３  アンチフォーム（東レ・ダウコーニング株式会社）、ＫＳ−６６（信越化学工業株式会社）等が挙げられる。
【００５３】
溶液型の消泡シリコーンは、シリコーンオイルをイソパラフィンなどの溶剤に溶かした消泡剤である。市販品としては、ＫＳ−６０２Ａ（信越化学工業株式会社）等が挙げられる。
エマルジョン型の消泡シリコーンは、シリコーンオイルコンパウンドをノニオン系の活性剤で乳化した消泡剤である。市販品としては、ＦＳアンチフォーム９３（東レ・ダウコーニング株式会社）、ＫＭ−７３（信越化学工業株式会社）、ＫＭ−７７５０（信越化学工業株式会社）、ＫＭ−７７５２（信越化学工業株式会社）等が挙げられる。
自己乳化型の消泡シリコーンは、親水性の変性シリコーンオイルとオイルコンパウンドから構成される消泡剤である。市販品としては、ＫＳ−５３７（信越化学工業株式会社）等が挙げられる。
【００５４】
（Ｄ）成分が消泡性を発揮するのは、シリコーンオイルの表面張力が小さいため、抑泡性を発揮するからである。また、オイルコンパウンド型のように水不溶性粒子を配合した場合は、シリコーンオイルによって泡の表面に運ばれた水不溶性粒子が、物理的に泡を破ると考えられている。
溶液型、エマルジョン型、自己乳化型は、使用時の分散性を高めるため、シリコーンオイルに乳化剤等が加えられたものである。
【００５５】
液体洗浄剤中の（Ｄ）成分の含有量は、液体洗浄剤の総質量に対して０．０００１〜１０質量％であることが好ましく、０．０００５〜５質量％であることがより好ましく、０．００１〜２質量％であることがさらに好ましく、０．００５〜１質量％が特に好ましい。
液体洗浄剤中の（Ｄ）成分の含有量が好ましい下限値以上であることにより、これを水に溶解すると、毛玉防止効果が高く、濯ぎ性が良好な洗浄液となりやすい。
また、液体洗浄剤中の（Ｄ）成分の含有量が好ましい上限値以下であることにより、これを水に溶解すると、毛玉防止効果の高い洗浄液となりやすい。
【００５６】
液体洗浄剤を水に溶解した洗浄液中の（Ｄ）成分の含有量は、洗浄液の総質量に対して０．００１〜５００質量ｐｐｍであることが好ましく、０．０１〜１００質量ｐｐｍであることがより好ましく、０．０５〜５０質量ｐｐｍであることがさらに好ましい。
洗浄液中の（Ｄ）成分の含有量が好ましい下限値以上であることにより、毛玉防止効果が高く、濯ぎ性が良好な洗浄液となりやすい。
また、洗浄液中の（Ｄ）成分の含有量が好ましい上限値以下であることにより、毛玉防止効果がより優れた洗浄液となりやすい。
【００５７】
＜（Ｅ）成分＞
（Ｅ）成分は下記一般式（ｅ）で表される脂肪酸エステルである。（Ｅ）成分は（Ｂ）成分との疎水性相互作用により一緒に衣類へ吸着し、衣類のすべり性を向上に寄与する。また、また疎水性により破泡効果を発揮する。
Ｘ−ＣＯＯ−Ｙ  ・・・（ｅ）
式中、Ｘは、炭素数５〜２１の分岐鎖状アルキル基、又は炭素数５〜２１の直鎖状アルキル基である。Ｘが直鎖状アルキル基である場合、式（ｅ）中のカルボニル基の炭素原子に結合する炭素原子は第２級炭素原子である。Ｙは、炭素数３〜１６のアルキル基、又は−（Ｒ３１Ｏ）ｍ１−Ｒ３２である。Ｒ３１は、炭素数２〜４のアルキレン基である。ｍはＲ３１Ｏの平均繰り返し数を示し１〜５である。Ｒ３２は、炭素数１〜１６のアルキル基、フェニル基又はベンジル基である。
【００５８】
前記式（ｅ）中、Ｘは、炭素数５〜２１の分岐鎖状アルキル基、又は炭素数５〜２１の直鎖状アルキル基であり、好ましくは炭素数５〜２１の分岐鎖状アルキル基である。
Ｘにおける分岐鎖状又は直鎖状のアルキル基の炭素数は、好ましくは炭素数５〜１３であり、より好ましくは炭素数６〜１１であり、さらに好ましくは炭素数６〜１０である。  炭素数が好ましい下限値未満では、毛玉防止効果および消泡効果が得られにくくなるおそれがある。炭素数が好ましい上限値を超えると、疎水性が強くなりすぎて、洗浄液中での分散性が損なわれるおそれがある。
【００５９】
Ｘが直鎖状アルキル基である場合、式（ｅ）中のカルボニル基の炭素原子に結合する炭素原子は第２級炭素原子である。
Ｘが分岐鎖状アルキル基である場合、分岐鎖の側鎖の数は、１〜４が好ましく、１又は２がより好ましく、１がさらに好ましい。側鎖の数が前記範囲内であれば、充分な毛玉防止効果および消泡性が発揮される。
【００６０】
前記式（ｅ）中、Ｙは、炭素数３〜１６のアルキル基、又は−（Ｒ３１Ｏ）ｍ−Ｒ３２である。
Ｙがアルキル基である場合：Ｙにおけるアルキル基の炭素数は、好ましくは炭素数６〜１０である。炭素数が好ましい下限値以上であれば、毛玉防止効果および消泡効果が得やすい。炭素数が好ましい上限値以下であれば、疎水性が強くなりすぎないため、洗浄液中での良好な分散性が得やすい。
Ｙは、直鎖状アルキル基であってもよく、分岐鎖状アルキル基であってもよく、中でも分岐鎖状アルキル基が好ましい。Ｙが分岐鎖状アルキル基であれば、毛玉防止効果および消泡性をさらに高められる。
Ｙが分岐鎖である場合、側鎖の数は１〜４が好ましく、１又は２がより好ましく、１がさらに好ましい。側鎖の数が前記範囲内であれば、充分な毛玉防止効果および消泡性が発揮される。
【００６１】
好ましいＹとしては、例えば、イソトリデシル基、エチルヘキシル基、ヘキシルデシル基、イソブチル基、イソプロピル基が挙げられ、中でも、毛玉防止効果および消泡性、及び洗浄液中での分散性の観点から、エチルヘキシル基がより好ましい。
Ｙがアルキル基である場合、Ｘにおける分岐鎖状又は直鎖状のアルキル基の炭素数は、炭素数５〜１３が好ましく、６〜１１がより好ましく、７〜１０がさらに好ましく、７〜９が特に好ましい。Ｘの炭素数が前記範囲内であれば、親水性と疎水性とのバランスがより良好となり、毛玉防止効果および消泡性をより高められる。
【００６２】
Ｙが−（Ｒ３１Ｏ）ｍ−Ｒ３２である場合：Ｒ３１は、炭素数２〜４のアルキレン基であり、好ましくは炭素数２又は３のアルキレン基であり、より好ましくは炭素数３のアルキレン基である。炭素数が前記範囲内であれば、親水性と疎水性とのバランスが良好となり、毛玉防止効果および消泡性を高められる。
ｍはＲ３１Ｏの平均繰り返し数を示し１〜５である。ｍは、２〜５が好ましく、３がより好ましい。ｍが好ましい下限値以上であれば、疎水性が強くなりすぎず、液体洗浄剤とした場合の良好な液安定性が得やすい。ｍが好ましい上限値以下であれば、親水性が強くなりすぎず、毛玉防止効果および消泡効果を得やすい。
【００６３】
Ｒ３２は、炭素数１〜１６のアルキル基、フェニル基又はベンジル基であり、中でも炭素数１〜１６のアルキル基が好ましい。Ｒ３２がアルキル基の場合、Ｒ３２の炭素数は、１〜１２が好ましく、１〜６がより好ましく、１（即ち、メチル基）がさらに好ましい。Ｒ３２の炭素数が前記範囲内であれば、洗浄液中での分散性がより良好になる。
Ｙが−（Ｒ３１Ｏ）ｍ−Ｒ３２である場合、Ｘにおける分岐鎖状又は直鎖状のアルキル基の炭素数は、炭素数５〜１３が好ましく、７〜１１がより好ましく、炭素数９がさらに好ましい。Ｘの炭素数が前記範囲内であれば、親水性と疎水性とのバランスがより良好となり、毛玉防止効果および消泡性をより高められる。
【００６４】
（Ｅ）成分は、従来公知の方法により製造することができる。
例えば、前記式（ｅ）において、Ｙがアルキル基である（Ｅ）成分の製造方法としては、油脂と１価アルコールとのエステル交換による方法、廃食用油と１価アルコールとのエステル交換による方法、脂肪酸を１価アルコールでエステル化する方法、脂肪酸アルキルエステルと１価アルコールとのエステル交換による方法等が挙げられる。
（Ｅ）成分を構成する脂肪酸残基の炭素数は、例えば、（Ｅ）成分を蒸留することによって炭素留分をカットしたり、所望の炭素数を有する脂肪酸アルキルエステルの炭素留分を２種以上配合した原料を用いたりすることにより調整できる。
【００６５】
（Ｅ）成分の製造方法に用いられる油脂としては、特に限定されないが、植物油又は動物油が好ましく、植物油がより好ましい。植物油としては、ナタネ油、ひまわり油、大豆油、綿実油、サンフラワー油、ヒマシ油、オリーブ油、とうもろこし油、ヤシ油、パーム油、パーム核油等が挙げられるが、特にこれらに限定されるものではない。中でも、炭素数６〜１４の脂肪酸の含有量が多い点で、パーム核油、ヤシ油が好ましい。動物油としては、牛脂、豚脂、魚油等が挙げられるが、特にこれらに限定されるものではない。
【００６６】
（Ｅ）成分の製造方法に用いられるアルコールとしては、特に限定されないが、プロクター・アンド・ギャンブル社製のＣＯ−１２１４又はＣＯ−１２７０等の直鎖状天然アルコール、三菱化学株式会社製のＤｉａｄｏｌ（登録商標）（Ｃ１３、Ｃの次の数字は、アルコールの炭素数を示す。以下同様。）、Ｓｈｅｌｌ社製のＮｅｏｄｏｌ（登録商標）（Ｃ１２とＣ１３との混合物）、Ｓａｓｏｌ社製のＳａｆｏｌ（登録商標）２３（Ｃ１２とＣ１３との混合物）等が好ましい。
【００６７】
（Ｅ）成分としては、例えば、２−エチルブタン酸２−エチルブチル、２−エチルブタン酸２−エチルヘキシル、２−エチルブタン酸２−エチルオクチル、２−エチルブタン酸２−エチルデシル、２−エチルブタン酸２−エチルドデシル、２−エチルヘキサン酸２−エチルブチル、２−エチルヘキサン酸２−エチルヘキシル、２−エチルヘキサン酸２−エチルオクチル、２−エチルヘキサン酸２−エチルデシル、２−エチルヘキサン酸２−エチルドデシル、２−エチルオクタン酸２−エチルブチル、２−エチルオクタン酸２−エチルヘキシル、２−エチルオクタン酸２−エチルオクチル、２−エチルオクタン酸２−エチルデシル、２−エチルオクタン酸２−エチルドデシル、２−エチルデカン酸２−エチルブチル、２−エチルデカン酸２−エチルヘキシル、２−エチルデカン酸２−エチルオクチル、２−エチルデカン酸２−エチルデシル、２−エチルデカン酸２−エチルドデシル、２−エチルドデカン酸２−エチルブチル、２−エチルドデカン酸２−エチルヘキシル、２−エチルドデカン酸２−エチルオクチル、２−エチルドデカン酸２−エチルデシル、２−エチルドデカン酸２−エチルドデシル、２−エチルテトラデカン酸２−エチルブチル、２−エチルテトラデカン酸２−エチルヘキシル、２−エチルテトラデカン酸２−エチルオクチル、２−エチルテトラデカン酸２−エチルデシル、２−エチルテトラデカン酸２−エチルドデシル、２−エチルペンタデカン酸２−エチルブチル、２−エチルペンタデカン酸２−エチルヘキシル、２−エチルペンタデカン酸２−エチルオクチル、２−エチルペンタデカン酸２−エチルデシル、２−エチルペンタデカン酸２−エチルドデシル、２−エチルヘキサデカン酸２−エチルブチル、２−エチルヘキサデカン酸２−エチルヘキシル、２−エチルヘキサデカン酸２−エチルオクチル、２−エチルヘキサデカン酸２−エチルデシル、２−エチルヘキサデカン酸２−エチルドデシル、パルミチン酸イソプロピル、ミリスチン酸イソプロピル、ミリスチン酸オクチルドデシル、２−エチルヘキサン酸セチル、イソノナン酸イソノニル、イソノナン酸イソトリデシル等のモノエステル油；ジカプリン酸ネオペンチルグリコール等が挙げられる。
【００６８】
上記の中でも、消泡効果がより得られやすいことから、２−エチルヘキサン酸２−エチルブチル、２−エチルヘキサン酸２−エチルヘキシル、２−エチルヘキサン酸２−エチルオクチル、２−エチルヘキサン酸２−エチルデシル、２−エチルヘキサン酸２−エチルドデシルからなる群より選択される１つ以上の化合物が好ましく、これらの中でも、２−エチルヘキサン酸２−エチルヘキシルが特に好ましい。
（Ｅ）成分は、１種単独で用いられてもよいし、２種以上が組み合わされて用いられてもよい。
【００６９】
液体洗浄剤中の（Ｅ）成分の含有量は、液体洗浄剤の総質量に対して０．０１〜２０質量％であることが好ましく、０．０５〜１０質量％であることがより好ましく、０．０８〜５質量％であることがさらに好ましく、０．１〜１．５質量％が特に好ましい。
液体洗浄剤中の（Ｅ）成分の含有量が好ましい下限値以上であることにより、これを水に溶解すると、毛玉防止効果が高く、濯ぎ性が良好な洗浄液となりやすい。
また、液体洗浄剤中の（Ｅ）成分の含有量が好ましい上限値以下であることにより、これを水に溶解すると、毛玉防止効果の高い洗浄液となりやすい。
【００７０】
液体洗浄剤を水に溶解した洗浄液中の（Ｅ）成分の含有量は、洗浄液の総質量に対して０．０１〜１００質量ｐｐｍであることが好ましく、０．１〜８０質量ｐｐｍであることがより好ましく、１〜５０質量％であることがさらに好ましい。
洗浄液中の（Ｅ）成分の含有量が好ましい下限値以上であることにより、毛玉防止効果が高く、濯ぎ性が良好な洗浄液となりやすい。
また、洗浄液中の（Ｅ）成分の含有量が好ましい上限値以下であることにより、毛玉防止効果がより優れた洗浄液となりやすい。
【００７１】
＜（Ｆ）成分＞
（Ｆ）成分は一般式（ｆ１）〜（ｆ３）のいずれかで表されるアルコールのプロピレンオキシド付加物である。（Ｆ）成分は（Ｂ）成分との疎水性相互作用により一緒に衣類へ吸着し、衣類のすべり性を向上に寄与する。また、また疎水性により破泡効果を発揮する。
【００７２】
（Ｆ）成分は、メタノール、エタノール、プロパノール、ブタノール、ペンタノール、ヘキサノール、ヘプタノール、オクタノール等のモノアルコール；エタンジオール等のジオール、グリセリン等のトリオール、エリスリトール等のテトラオール、ソルビトール等のヘキサオール等の多価アルコールにプロピレンオキシドを付加させたものである。
【００７３】
【化４】
2019182970.tif 000005
【００７４】
式（ｆ１）中、Ｒ１は炭素数１〜８の炭化水素基を示し、ＰＯはオキシプロピレン基を示し、ｎ１はＰＯの平均繰り返し数を示し１０〜３５０である。
式（ｆ２）中、ＰＯはオキシプロピレン基を示し、ｎ２、ｎ３はそれぞれ独立にＰＯの平均繰り返し数を示し、ｎ２、ｎ３の合計は１０〜３５０である。
式（ｆ３）中、ＰＯはオキシプロピレン基を示し、ｎ４、ｎ５、ｎ６はそれぞれ独立にＰＯの平均繰り返し数を示し、ｎ４、ｎ５、ｎ６の合計は１０〜３５０である。
【００７５】
式（ｆ１）中、Ｒ１は炭素数１〜８の炭化水素基である。好ましくは炭素数１〜３である。
Ｒ１としては、アルキル基、アルキレン基が挙げられる。
Ｒ１としては、メチル基、エチル基、プロピル基、ブチル基が挙げられる。
式（ｆ１）〜（ｆ３）におけるｎ１〜ｎ６は、それぞれ、１０〜５０であることが好ましく、１５〜４０であることがより好ましい。
【００７６】
成分（Ｆ）の重量平均分子量は、２５００〜５５００が好ましく、３０００〜５０００がより好ましい。
上記下限値以上であれば、毛玉防止効果がより向上しやすくなる。上記上限値以下であれば、濯ぎ性がより向上しやすくなる。
本明細書において重量平均分子量は、ポリプロピレングリコール（重量平均分子量：８００、１，２００、２，０００、４，０００）を標準としたＧＰＣ（ゲル浸透クロマトグラフィー）で得られる分子量分布より求められる。
成分（Ｆ）は、１種であってもよく２種以上であってもよい。
【００７７】
成分（Ｆ）の製造方法は、式（ｆ１）で表される化合物の場合、アルコール（Ｒ１−ＯＨ）にプロピレンオキシドを付加重合させる方法により製造することができる。式（ｆ２）で表される化合物の場合、エチレングリコールにプロピレンオキシドを付加重合させる方法により製造することができる。式（ｆ３）で表される化合物の場合、グリセリンにプロピレンオキシドを付加重合させる方法により製造することができる。
付加重合させるプロピレンオキシドの供給量を調節することにより、所望の重量平均分子量を有するプロピレンオキシド付加物を製造することができる。
【００７８】
液体洗浄剤中の（Ｆ）成分の含有量は、液体洗浄剤の総質量に対して０．０１〜２０質量％であることが好ましく、０．０５〜１０質量％であることがより好ましく、０．０８〜５質量％であることがさらに好ましく、０．１〜１．５質量％が特に好ましい。
液体洗浄剤中の（Ｆ）成分の含有量が好ましい下限値以上であることにより、これを水に溶解すると、毛玉防止効果が高く、濯ぎ性が良好な洗浄液となりやすい。
また、液体洗浄剤中の（Ｆ）成分の含有量が好ましい上限値以下であることにより、これを水に溶解すると、毛玉防止効果の高い洗浄液となりやすい。
【００７９】
液体洗浄剤を水に溶解した洗浄液中の（Ｆ）成分の含有量は、洗浄液の総質量に対して０．０１〜１００質量ｐｐｍであることが好ましく、０．１〜８０質量ｐｐｍであることがより好ましく、１〜５０質量ｐｐｍであることがさらに好ましい。
洗浄液中の（Ｆ）成分の含有量が好ましい下限値以上であることにより、毛玉防止効果が高く、濯ぎ性が良好な洗浄液となりやすい。
また、洗浄液中の（Ｆ）成分の含有量が好ましい上限値以下であることにより、毛玉防止効果がより優れた洗浄液となりやすい。
【００８０】
（Ｃ）、（Ｄ）、（Ｅ）、及び（Ｆ）成分のうち、２種以上を併用することができる。２種以上を併用する場合、（Ｃ）成分と（Ｄ）成分、（Ｃ）成分と（Ｅ）成分、（Ｃ）成分と（Ｆ）成分の併用が好ましく、（Ｃ）成分と（Ｄ）成分の併用が、毛玉防止効果、すすぎ性を高める点で特に好ましい。（Ｃ）成分と（Ｄ）成分を併用する場合、（Ｃ）成分に対する（Ｄ）成分の質量比（Ｄ）／（Ｃ）は、０．００１〜１０が好ましく、０．００５〜５がより好ましく、０．０１〜１が特に好ましい。
【００８１】
液体洗浄剤中の（Ｃ）、（Ｄ）、（Ｅ）、及び（Ｆ）の含有量の合計は液体洗浄剤の総質量に対して０．０００１〜１０質量％であることが好ましく、０．００１〜５質量％であることがより好ましく、０．０１〜３質量％であることがさらに好ましく、０．５〜２質量％であることが特に好ましい。
（Ｃ）、（Ｄ）、（Ｅ）、及び（Ｆ）の含有量の合計が好ましい下限値以上であることにより、毛玉防止効果が高く、すすぎ性を高めることができる。（Ｃ）、（Ｄ）、（Ｅ）、及び（Ｆ）の含有量の合計が好ましい上限値以下であることにより、洗浄剤中に均一に分散させることができる。
【００８２】
液体洗浄剤を水に溶解した洗浄液中の（Ｃ）、（Ｄ）、（Ｅ）、及び（Ｆ）の含有量の合計は、洗浄液の総質量に対して０．００１〜５００質量ｐｐｍであることが好ましく、０．０１〜１００質量ｐｐｍであることがより好ましく、０．０５〜５０質量ｐｐｍであることがさらに好ましい。
（Ｃ）、（Ｄ）、（Ｅ）、及び（Ｆ）の含有量の合計が好ましい下限値以上であることにより、毛玉防止効果が高く、すすぎ性を高めることができる。（Ｃ）、（Ｄ）、（Ｅ）、及び（Ｆ）の含有量の合計が好ましい上限値以下であることにより、洗浄剤中に均一に分散させることができる。
【００８３】
＜水＞
本発明の液体洗浄剤は、製造時のハンドリングのし易さ、使用する際の水への溶解性等の観点から、溶剤として水を含有することが好ましい。
【００８４】
＜任意成分＞
本発明の液体洗浄剤は、本発明の効果を損なわない範囲内であれば、任意成分を含有してもよい。
任意成分としては、液体洗浄剤に通常用いられる成分が挙げられ、例えば、（Ｂ）成分以外のカチオン界面活性剤、（Ｃ）成分以外のアニオン界面活性剤、両性界面活性剤、水以外の溶剤、キレート剤、酵素、ハイドロトロープ剤、ソイルリリース剤、再汚染防止剤、洗浄性ビルダー、安定化剤、アルカリ剤、風合い向上剤、防腐剤、蛍光剤、移染防止剤、パール剤、酸化防止剤、抗菌剤、着色剤として汎用の色素又は顔料、乳濁化剤、香料、不溶粒子、ｐＨ調整剤、天然物などのエキスが挙げられる。
【００８５】
（溶剤）
本発明の液体洗浄剤に用いることのできる水以外の溶剤としては、例えば炭素数２〜４の一価アルコール、多価グリコール、及び下記式（ｇ１）で表されるグリコールエーテル系溶剤、下記式（ｇ２）で表される溶剤からなる群から選択される溶剤である。
Ｒ４１−（ＯＲ４２）ｍ２ＯＨ  ・・・（ｇ１）
式（ｇ１）中、Ｒ４１は炭素数１〜６のアルキル基又はフェニル基であり、Ｒ４２は炭素数２〜４のアルキレン基であり、ｍはＯＲ４２の平均繰り返し数を示し１〜５である。
ＣＨ３ＯＣＲ３３（ＣＨ３）ＣＨＲ３４ＣＨＲ３５ＯＲ３６  ・・・（ｇ２）
式中Ｒ３３〜Ｒ３５は、それぞれ独立に水素原子又は炭素数１〜３のアルキル基、Ｒ３６は水素原子又はアセチル基である。
【００８６】
炭素数２〜４の１価アルコールとしては、たとえば、エタノール、１−プロパノール、２−プロパノール、１−ブタノール等が挙げられる。
多価グリコールとしてはエチレングリコール、プロピレングリコール、ブチレングリコール、グリセリン等が挙げられる。
前記式（ｇ１）で表されるグリコールエーテル系溶剤としては、エチレングリコールモノブチルエーテル、エチレングリコールモノヘキシルエーテル、エチレングリコールモノフェニルエーテル、プロピレングリコールモノフェニルエーテル、ジエチレングリコールモノメチルエーテル、ジエチレングリコールモノブチルエーテル等が挙げられる。
【００８７】
前記式（ｇ２）で表される溶剤としては、３−メトキシブタノール、３−メトキシ−３−メチルブタノール、３−メトキシ−３−エチルブタノール、３−メトキシ−３−プロピルブタノール、３−メトキシ−２−メチルブタノール、３−メトキシ−２−エチルブタノール、３−メトキシ−２−プロピルブタノール、３−メトキシ−１−メチルブタノール、３−メトキシ−１−エチルブタノール、３−メトキシ−１−プロピルブタノール、３−メトキシブチルアセテート、３−メトキ−３−メチルブチルアセテート、３−メトキシ−３−エチルブチルアセテート、３−メトキシ−３−プロピルブチルアセテート、３−メトキシ−２−メチルブチルアセテート、３−メトキシ−２−エチルブチルアセテート、３−メトキシ−２−プロピルブチルアセテート、３−メトキシ−１−メチルブチルアセテート、３−メトキシ−１−エチルブチルアセテート、３−メトキシ−１−プロピルブチルアセテート等が挙げられる。
【００８８】
これらのなかでも、抑制剤としての流動性、臭気の穏やかな点や原料の入手のしやすさから、エタノール、プロピレングリコール、ジエチレングリコールモノブチルエーテル、３−メトキシ−３−メチルブタノールが好ましい。
これらの成分は、１種単独で用いられてもよいし、２種以上が組み合わされて用いられてもよい。
【００８９】
水を含む溶剤全体の含有量は、液体洗浄剤の総質量に対して、４０〜９０質量％が好ましい。含有量が上記上限値以下であると、洗濯に使用する際の洗浄剤の使用量が少なくて済む。含有量が下限値以上であると、液体洗浄剤としての流動性と液安定性を付与しやすい。
水以外の溶剤の含有量は、液体洗浄剤の総質量に対して、１〜２５質量％が好ましい。含有量が上記上限値以下であると、原料コストを低減できる。含有量が下限値以上であると、液体洗浄剤としての流動性と液安定性を付与しやすい。
水を含む溶剤全体の質量に対する水以外の溶剤の質量の比は、０．０１〜０．５が好ましい。この質量比が下限値以上であると液体洗浄剤としての流動性と液安定性を付与しやすい。この質量比が上限値以下であると原料コストを低減できる。
【００９０】
（カチオン性界面活性剤）
本発明の液体洗浄剤に用いることのできる（Ｂ）成分以外のカチオン性界面活性剤としては、アルキルトリメチルアンモニウム塩、ジアルキルジメチルアンモニウム塩、アルキルベンジルジメチルアンモニウム塩、アルキルピリジニウム塩のカチオン界面活性剤等が挙げられる。
【００９１】
（アニオン性界面活性剤）
本発明の液体洗浄剤には、（Ｃ）成分以外のアニオン性界面活性剤（以下（Ｈ）成分という場合がある。）を用いることにより優れた洗浄力を発揮する。（Ｈ）成分は、また、洗浄液中で （Ｂ）成分と複合体を形成し、繊維製品への（Ｂ）成分の吸着を高めていると考えられる。
【００９２】
（Ｈ）成分としては、直鎖アルキルベンゼンスルホン酸； α−オレフィンスルホン酸；直鎖又は分岐鎖のアルキル硫酸エステル；アルキルエーテル硫酸エステル又はアルケニルエーテル硫酸エステル；アルキル基を有するアルカンスルホン酸；α−スルホ脂肪酸エステル等が挙げられる。
（Ｈ）成分は、液体洗浄剤中、または液体洗浄剤を水に溶解した洗浄液中で塩の形で存在していてもよい。
（Ｈ）成分の塩の形態としては、ナトリウム、カリウム等のアルカリ金属塩、マグネシウム等のアルカリ土類金属塩、モノエタノールアミン、ジエタノールアミン等のアルカノールアミン塩等が挙げられる。
【００９３】
直鎖アルキルベンゼンスルホン酸としては、直鎖アルキル基の炭素数が８〜１６のものが好ましく、炭素数１０〜１４のものがより好ましい。
α−オレフィンスルホン酸としては、炭素数１０〜２０のものが好ましい。
アルキル硫酸エステルとしては、アルキル基の炭素数が１０〜２０のものが好ましい。
アルキルエーテル硫酸エステル又はアルケニルエーテル硫酸エステルとしては、炭素数１０〜２０の直鎖もしくは分岐鎖のアルキル基、又は炭素数１０〜２０の直鎖もしくは分岐鎖のアルケニル基を有し、オキシエチレン基一部がオキシプロピレン基であってもよい、平均１〜５モルのポリオキシエチレンアルキルエーテル硫酸エステルが好ましい。
アルカンスルホン酸としては、アルキル基の炭素数が１０〜２０のものが好ましく、１４〜１７のものがより好ましい。中でも、該アルキル基が２級アルキル基であるもの（即ち、２級アルカンスルホン酸塩）がさらに好ましい。
α−スルホ脂肪酸エステルとしては、脂肪酸残基の炭素数が１０〜２０のものが好ましい。
【００９４】
これらの（Ｈ）成分の中でも、直鎖アルキルベンゼンスルホン酸、アルカンスルホン酸、ポリオキシエチレンアルキルエーテル硫酸エステル、及びα−オレフィンスルホン酸から選ばれる少なくとも１種が好ましい。
特に、（Ｂ）成分との複合体の形成しやすさ、また低温安定性が向上する観点から、直鎖アルキルベンゼンスルホン酸が最も好ましい。
【００９５】
（Ｈ）成分として、上記以外の他の陰イオン性界面活性剤を用いてもよい。該他の陰イオン性界面活性剤としては、アルキルエーテルカルボン酸、ポリオキシアルキレンエー テルカルボン酸、アルキル（又はアルケニル）アミドエーテルカルボン酸、アシルアミノカルボン酸等のカルボン酸型陰イオン性界面活性剤；アルキルリン酸エステル、ポリオキシアルキレンアルキルリン酸エステル、ポリオキシアルキレンアルキルフェニ ルリン酸エステル、グリセリン脂肪酸エステルモノリン酸エステル等のリン酸エステ ル型陰イオン性界面活性剤；等が挙げられる。
これらの（Ｈ）成分は、１種単独で用いられてもよいし、２種以上が組み合わされて用 いられてもよい。
【００９６】
液体洗浄剤中の（Ｈ）成分の含有量（塩の場合も酸等としての含有量。以下同じ）は、液体洗浄剤の総質量に対して０．１〜２０質量％が好ましく、０．１〜１０ 質量％がより好ましく、１〜５質量％がさらに好ましい。
（Ｈ）成分の含有量が上記下限値以上であれば、洗浄力をより高められ、また、（Ｂ）成分の吸着を促進しやすい。上限値以下であれば良好な濯ぎ性を得やすい。
洗浄剤中、（Ｈ）成分の質量に対する（Ｂ）成分の質量の比（Ｂ）／（Ｈ）は、０．１〜３が好ましく、０．６〜２がより好ましい。（Ｂ）／（Ｈ）が上記範囲内であれば、毛玉防止効果が高まる。これは、（Ｂ）成分と（Ｈ）成分とが複合体を形成し、繊維製品により吸着しやすくなるためと考えられる。
【００９７】
また、（Ｂ）成分を含有する液体洗浄剤中に（Ｃ）成分を配合することで液体製剤の安定性が悪化することがあるが、（Ｈ）成分を配合することで安定性が良好になる。（Ｈ）成分の質量に対する（Ｃ）成分の質量の比（Ｃ）／（Ｈ）は、０．０１〜１０が好ましく、０．０５〜８が好ましく、０．１〜５がより好ましい。
（Ｃ）／（Ｈ）が上記範囲内であれば、安定性がより向上する。（Ｃ）成分と組み合わせて安定性が向上する（Ｈ）成分としては具体的に直鎖アルキルベンゼンスルホン酸が最も好ましい。
【００９８】
（両性界面活性剤）
本発明の液体洗浄剤に用いることのできる両性界面活性剤としては、従来、衣料用などの液体洗浄剤に用いられている両性界面活性剤であればよく、例えば、アルキルベタイン型、アルキルアミドベタイン型、イミダゾリン型、アルキルアミノスルホン酸型、アルキルアミノカルボン酸型、アルキルアミドカルボン酸型、アミドアミノ酸型又はリン酸型等の両性界面活性剤が挙げられる。
これらの両性界面活性剤は、１種単独で用いてもよく、２種以上を適宜組み合わせて用いてもよい。
【００９９】
（キレート剤）
金属イオン捕捉剤として機能するキレート剤としては、マロン酸、コハク酸、リンゴ酸、ジグリコール酸、酒石酸、クエン酸等が挙げられる。
本発明の液体洗浄剤がキレート剤を含む場合、キレート剤の含有量は、液体洗浄剤の総質量に対し、０．１〜２０質量％が好ましい。
【０１００】
（ハイドロトロープ剤）
ハイドロトロープ剤（以下（Ｉ）成分という場合がある。）としては、パラトルエンスルホン酸またはその塩、クメンスルホン酸またはその塩、安息香酸塩、フェノキシエタノール、並びに尿素等が挙げられる。
本発明の液体洗浄剤がハイドロトロープ剤を含む場合、ハイドロトロープ剤の含有量は、液体洗浄剤の総質量に対し、０．０１〜１５質量％が好ましい。
（Ｂ）成分を含有する洗浄剤中に（Ｃ）成分を配合することで液体製剤の安定性が悪化することがあるが、（Ｉ）成分を配合することで安定性が良好になる。（Ｉ）成分の質量に対する（Ｃ）成分の質量の比（Ｃ）／（Ｉ）は、０．０１〜１０が好ましく、０．１〜８が好ましく、１〜５がより好ましい。（Ｃ）／（Ｉ）が上記範囲内であれば、安定性がより向上する。（Ｃ）成分と組み合わせて安定性が向上する（Ｉ）成分としてはフェノキシエタノール、クメンスルホン酸塩がより好ましい。
【０１０１】
（再汚染防止剤）
再汚染防止剤としては、アルキレンテレフタレート単位、及びアルキレンイソフタレート単位からなる群から選択される少なくとも一種の繰り返し単位と、オキシアルキレン単位、及びポリオキシアルキレン単位からなる群から選択される少なくとも一種の繰り返し単位と、を有する水溶性ポリマーが挙げられる。
具体的には、商品名「ＴｅｘＣａｒｅ  ＳＲＮ−１００」（クラリアント社製、重量平均分子量２０００〜３０００）、商品名「ＴｅｘＣａｒｅ  ＳＲＮ−３００」（クラリアント社製、重量平均分子量７０００）、商品名「Ｒｅｐｅｌ−Ｏ−Ｔｅｘ  Ｃｒｙｓｔａｌ」（ローディア社製）、商品名「Ｒｅｐｅｌ−Ｏ−Ｔｅｘ  ＱＣ」（ローディア社製）等が挙げられる。
【０１０２】
これらのなかでは、水への溶解性が高く、保存安定性にも優れる点から、ＴｅｘＣａｒｅ  ＳＲＮ−１００が好ましい。また、取り扱い性に優れる点から、前記ＴｅｘＣａｒｅ  ＳＲＮ−１００の７０％水溶液として市販されている商品名ＴｅｘＣａｒｅ  ＳＲＮ−１７０（クラリアント社製）が用いられることが好ましい。
他の再汚染防止剤としては、ポリアルキレンイミンのアルキレンオキシド付加体、ポリアルキレンアミンのアルキレンオキシド付加体が挙げられる。具体的には、商品名「Ｓｏｋａｌａｎ  ＨＰ２０」（ＢＡＳＦ社製）等が挙げられる。
本発明の液体洗浄剤が再汚染防止剤を含む場合、再汚染防止剤の含有量は、液体洗浄剤の総質量に対し、０．０１〜５質量％が好ましい。
【０１０３】
（アルカリ剤）
アルカリ剤としては、モノエタノールアミン、ジエタノールアミン、トリエタノールアミンなどのアルカノールアミン等が挙げられる。
【０１０４】
（風合い向上剤）
乾燥後の風合いを良くするために、変性基を有するシリコーンオイルを配合してもよい。例えばポリエーテル変性シリコーン、アミノポリエーテル変性シリコーン、アミドポリエーテル変性シリコーン、アルキルポリエーテル変性シリコーン等が挙げられる。変性基を有するシリコーンオイルが配合されていることで、繊維製品の浴中摩擦が低減し、毛玉防止効果が高まる。
【０１０５】
市販品としては、例えば、東レ・ダウコーニング株式会社製の「ＣＦ１１８８Ｎ」、「ＢＹ１６−８７８」、「ＢＹ１６−８９１」、「ＢＹ１６−８９３」、「ＦＶ２０９０−０１」、「ＳＩＬＳＴＹＬＥ１０４」、「ＳＦ８４１７」、「ＳＦ８４１８」、「ＢＹ１６−８３７」、「ＢＹ１６−９０６」、「ＦＺ−２２０３」、「ＦＺ−３７８９」等、信越化学工業株式会社製の「ＫＦ−８７７」、「ＫＦ−８８９」、「Ｘ−２２−３９３９Ａ」等、旭化成ワッカーシリコーン株式会社製の「ＷｅｔＳｏｆｔ（登録商標）ＣＴＡ」、「ＷｅｔＳｏｆｔ  ＡＥ２００」、「ＷｅｔＳｏｆｔ  ＮＥ８１０」、「ＷｅｔＳｏｆｔ  ＮＥ８２０」、「ＷｅｔＳｏｆｔ  ＷＰ２０１」等が挙げられる。
【０１０６】
（防腐剤）
防腐剤としては、ダウ・ケミカル社製「ケーソンＣＧ」（商品名）、ソー・ジャパン社製「アクチサイドＭＢＳ」（商品名）、クラリアント社製「ＮＩＰＡＣＩＤＥ  ＢＩＴ  ２０」（商品名）等が挙げられる。
【０１０７】
（酸化防止剤）
酸化防止剤としては、ブチルヒドロキシトルエン、ジスチレン化クレゾール、亜硫酸ナトリウム、亜硫酸水素ナトリウム等が挙げられる。
本発明の液体洗浄剤が酸化防止剤を含む場合、酸化防止剤の含有量は、液体洗浄剤の総質量に対し、０．０１〜２質量％が好ましい。
【０１０８】
（着色剤）
着色剤としては、例えばアシッドレッド１３８、Ｐｏｌａｒ  Ｒｅｄ  ＲＬＳ、アシッドイエロー２０３、アシッドブルー９、青色１号、青色２０５号、緑色３号、赤色１０６号、黄色２０３号、ターコイズＰ−ＧＲ（いずれも商品名）等の汎用の色素や顔料などが挙げられる。
本発明の液体洗浄剤が着色剤を含む場合、着色剤の含有量は、液体洗浄剤の総質量に対して、０．００００５〜０．００５質量％が好ましい。
【０１０９】
（香料）
香料としては、例えば特開２００２−１４６３９９号公報に記載の香料成分などが挙げられる。
本発明の液体洗浄剤が香料を含む場合、香料の含有量は、液体洗浄剤の総質量に対して、０．０１〜２質量％が好ましい。
【０１１０】
（ｐＨ調整剤）
本発明の液体洗浄剤は、２５℃におけるｐＨが４〜１０であることが好ましく、ｐＨが４〜９であることがより好ましく、ｐＨが４〜８であることがさらに好ましい。ｐＨがこのような範囲にあると、液体洗浄剤の保存安定性を良好に維持できる。
液体洗浄剤のｐＨは、必要に応じて、ｐＨ調整剤を添加することにより調整できる。ｐＨ調整剤としては、本発明の効果を損なわない限りにおいて随意であるが、硫酸、水酸化ナトリウム、水酸化カリウム、アルカノールアミン等が好ましい。
なお、本明細書において、ｐＨは、測定対象を２５℃とし、ｐＨメーター（製品名：ＨＭ−３０Ｇ、東亜ディーケーケー株式会社製）により測定される値を意味する。
【０１１１】
（天然物などのエキス）
天然物などのエキスとしては、イヌエンジュ、ウワウルシ、エキナセア、コガネバナ、キハダ、オウレン、オールスパイス、オレガノ、エンジュ、カミツレ、スイカズラ、クララ、ケイガイ、ケイ、ゲッケイジュ、ホオノキ、ゴボウ、コンフリー、ジャショウ、ワレモコウ、シャクヤク、ショウガ、セイタカアワダチソウ、セイヨウニワトコ、セージ、ヤドリギ、ホソバオケラ、タイム、ハナスゲ、チョウジ、ウンシュウミカン、ティーツリー、バーベリー、ドクダミ、ナンテン、ニュウコウ、ヨロイグサ、シロガヤ、ボウフウ、オランダヒユ、ホップ、ホンシタン、マウンテングレープ、ムラサキタガヤサン、セイヨウヤマハッカ、ヒオウギ、ヤマジソ、ユーカリ、ラベンダー、ローズ、ローズマリー、バラン、スギ、ギレアドバルサムノキ、ハクセン、ホウキギ、ミチヤナギ、ジンギョウ、フウ、ツリガネニンジン、ヤマビシ、ヤブガラシ、カンゾウ、セイヨウオトギリソウなどの植物が挙げられる。
本発明の液体洗浄剤が天然物などのエキスを含む場合、天然物などのエキスの含有量は、液体洗浄剤の総質量に対し、０〜０．５質量％が好ましい。
これらの成分は、１種単独で用いられてもよいし、２種以上が組み合わされて用いられてもよい。
【０１１２】
［洗濯方法］
本発明の繊維製品の洗濯方法（以下、単に「洗濯方法」ともいう。）は、本発明の液体洗浄剤を用いて洗濯する方法である。本発明の液体洗浄剤は、濯ぎ性に優れるため、本発明の洗濯方法では、濯ぎの回数は１回のみである。
すなわち、本発明の洗濯方法は、本発明の液体洗浄剤を含む洗浄液中で繊維製品を攪拌し、脱水した後、液体洗浄剤を含まない濯ぎ用水の中で繊維製品を攪拌し、脱水する操作を一回のみ行う、繊維製品の洗濯方法である。
【０１１３】
本発明の洗濯方法では、全自動洗濯機（ドラム型、縦型を含む）の場合、標準コース、おまかせコース等に比べて弱い水流であるコースを使用することが好ましい。例えば機種により、おうちクリーニングコース、おしゃれ着コース、ドライコース、ソフトコース、デリケートコース、ホームクリーニングコースなどと名付けられたコースを選択する。これらのコースの濯ぎ方法としては、注水濯ぎ、ため濯ぎ、シャワー濯ぎなどがあるが、いずれも１回設定とする。
【０１１４】
洗浄剤使用量は、ドラム型洗濯機であれば衣類量１．５ｋｇあたり３０〜４０ｇ、縦型洗濯機であれば洗濯時の水量３０Ｌあたり３０〜４０ｇが好ましい。上限以下であれば濯ぎ性が良く、下限以上であれば毛玉防止性及び洗浄力に良い。
１回の洗濯に投入する衣類量は、ドラム型洗濯機であれば洗濯機の容量１０ｋｇあたり１．５ｋｇ以下が好ましく、縦型洗濯機であれば洗濯機の容量１０ｋｇあたり３．５ｋｇ以下が好ましい。
水量を手動で選択できる場合は、衣類量あたりの水量である浴比（浴比＝洗濯時の水量Ｌ／衣類量ｋｇ）は、ドラム型洗濯機であれば１５以上、縦型洗濯機であれば３０以上が好ましい。下限以上であれば、衣類同士の摩擦を防ぎ、Ｂ成分の吸着を向上することができる。
【０１１５】
洗濯に使用する水は１〜５°ＤＨの硬水が好ましい。硬度が上限値以下であれば洗浄力が高く、下限値以上であれば濯ぎ性が良い。水温は１０〜３０℃が好ましい。水温が上限値以下であれば毛玉防止効果が高く、下限値以上であれば洗浄力及び濯ぎ性に優れる。
洗濯の時間は、５〜１５分が好ましい。上限値以下であれば毛玉防止効果が高く、下限値以上であれば洗浄力に優れる。濯ぎは注水濯ぎ、シャワー濯ぎ、ため濯ぎ等洗濯できる場合は、濯ぎ性の観点から注水濯ぎが好ましい。脱水の時間は、１〜６分が好ましく、上限値以下であれば毛玉防止効果が高く、下限値以上であれば水切れが良い。
【０１１６】
具体的な洗濯機における好ましい設定条件は下記の通りである。なお全自動洗濯機の洗濯中の水量は、液体流量計「ＬＷ２０−ＰＴＮ」（株式会社堀場製作所製）を使用して計測した。
【０１１７】
全自動ドラム型洗濯機  ＮＡ−ＶＸ７６００Ｌ（Ｐａｎａｓｏｎｉｃ社、２０１５年製、１０ｋｇ容量）の場合、おうちクリーニングコース（洗濯１３分、注水濯ぎ１回、脱水２分設定）とする。この設定で合計１．５ｋｇの衣類を入れた際の洗濯時の水量は２４Ｌ、濯ぎ時の水量は３２Ｌである。
全自動ドラム型洗濯機  ＴＷ−４０００ＶＦＬ（Ｓ）（ＴＯＳＨＩＢＡ社、２００８年製、９ｋｇ容量）の場合、ドライコース（洗濯７分、注水濯ぎ１回、脱水５分設定）とする。この設定で合計１．５ｋｇの衣類を入れた際の洗濯時の水量は２６Ｌ、濯ぎ時の水量は２７Ｌである。
全自動縦型洗濯機  ＮＡ−ＦＷ８０Ｓ１（Ｐａｎａｓｏｎｉｃ社、２０１４年製、８ｋｇ容量）の場合、ドライコース（洗濯１５分、濯ぎ１回、脱水１分設定）とする。この設定で合計１．５ｋｇの衣類を入れた際の洗濯時の水量は５７Ｌ、濯ぎ時の水量は５２Ｌである。
全自動縦型洗濯機  ＡＷ−８Ｖ２（ＴＯＳＨＩＢＡ社、２０１４年製、８ｋｇ容量）の場合、ドライコース（洗濯６分、注水濯ぎ１回、脱水６分設定）とする。この設定で合計１．５ｋｇの衣類を入れた際の洗濯時の水量は７３Ｌ、濯ぎ時の水量は７０Ｌである。
全自動縦型洗濯機  ＢＷ−Ｄ１０ＸＴＶ（ＨＩＴＡＣＨＩ社、２０１４年製、１０ｋｇ容量）の場合、ドライコース（洗濯９分、注水濯ぎ１回、脱水１分設定）とする。この設定で合計１．５ｋｇの衣類を入れた際の洗濯時の水量は４９Ｌ、濯ぎ時の水量は４７Ｌである。
【０１１８】
本発明の洗濯方法の対象となる繊維製品としては、例えば衣料、布巾、寝具、カーテンなどが挙げられる。
繊維製品の素材は特に限定されず、毛、綿、絹、麻等の天然繊維、ポリエステル、アクリル、ナイロン、レーヨン、ポリアミド等の化学繊維等のいずれでもよい。
【実施例】
【０１１９】
以下、実施例を示して本発明を詳細に説明するが、本発明は以下の記載によって限定されるものではない。
【０１２０】
［使用原料］
＜（Ａ）成分＞
（Ａ−１１）Ｌｕｔｅｎｓｏｌ  ＴＯ−７（商品名、ＢＡＳＦ社製）、Ｃ１３Ｈ２７Ｏ（ＣＨ２ＣＨ２Ｏ）７Ｈ、Ｒ２１が分岐鎖を有する炭素数１３のアルキル基、Ｒ２２Ｏがエチレンオキシド、ｎが７の化合物。
（Ａ−１２）ソフタノール３０（商品名、日本触媒（株）社製）、Ｒ２１が炭素数１２〜１４の直鎖アルキル基であって、酸素原子は、Ｒ２１中の２級炭素原子に結合し、Ｒ２２Ｏがオキシエチレン基である化合物。
（Ａ−１３）ソフタノールＥＰ５０３５（商品名、ＢＡＳＦ社製）、Ｒ２１が分岐鎖を有する炭素数１２〜１４のアルキル基、Ｒ２２Ｏがエチレンオキシド、ｎが３．５の化合物。
【０１２１】
＜（Ｂ）成分＞
（Ｂ−１）リポミンＡＰＡ１６８−６５Ｅ（商品名、ライオン・スペシャリティ・ケミカルズ株式会社製）、ステアリン酸ジメチルアミノプロピルアミドの質量とパルミチン酸ジメチルアミノプロピルアミドの質量の比＝７／３の混合物。ステアリン酸ジメチルアミノプロピルアミドは、Ｒ１０が炭素数１７の直鎖のアルキル基、Ｒ１１が炭素数３の直鎖のアルキレン基、Ｒ１２及びＲ１３が炭素数１のアルキル基の化合物であり、パルミチン酸ジメチルアミノプロピルアミドは、Ｒ１０が炭素数１５の直鎖のアルキル基、Ｒ１１が炭素数３の直鎖のアルキレン基、Ｒ１２及びＲ１３が炭素数１のアルキル基の化合物である。
【０１２２】
＜（Ｃ）成分＞
（Ｃ−１）椰子脂肪酸（商品名、日油株式会社製）。
（Ｃ−２）Ｃ１６石鹸（商品名、関東化学株式会社製）、パルミチン酸ナトリウム。
【０１２３】
＜（Ｄ）成分＞
（Ｄ−１）ＳＨ２００（商品名、東レ・ダウコーニング社製）。
（Ｄ−２）８５９０  Ａｄｄｔｉｖｅ（商品名、東レ・ダウコーニング社製）。
（Ｄ−３）ＡＦ−８０１４  Ａｎｔｉｆｏｒｍ（商品名、東レ・ダウコーニング社製）。
（Ｄ−４）ＡＣ−８０６６  Ａｎｔｉｆｏｒｍ（商品名、東レ・ダウコーニング社製）。
（Ｄ−５）ＡＣＰ−３０７３  Ａｎｔｉｆｏｒｍ（商品名、東レ・ダウコーニング社製）。
（Ｄ−６）ＦＳアンチフォーム９３（商品名、東レ・ダウコーニング社製）。
（Ｄ−Ｘ）ＫＭ−９１P（信越化学工業株式会社）、（Ｄ）成分に該当しない粉末型消泡性シリコーンである。
【０１２４】
＜（Ｅ）成分＞
（Ｅ−１）２−エチルヘキサン酸２−エチルヘキシル（下記合成方法により合成したもの）。Ｘが炭素数７の分岐鎖状アルキル基、Ｙが炭素数８の分岐鎖状アルキル基の化合物である。
【０１２５】
（Ｅ―１の合成方法）
５Ｌの四つ口フラスコに、２−エチルヘキサン酸１７００ｇと、２−エチルヘキサノール１４２５ｇと、触媒としてｐ−トルエンスルホン酸（関東化学株式会社製）１７ｇとを仕込み、窒素置換を行った。その後、窒素を１ｍＬ／秒の流量で流通させながら、液温が１４０℃になるまで昇温してエステル化反応を行い、反応により生成した水を蒸留により除去した。水を除去した後、０．６ｋＰａまで徐々に減圧しながら２００℃になるまで昇温して粗製物を得た。次いで、粗製物１５００ｇに対し、濾過助剤としてハイフロスーパーセル（商品名、ナカライテスク株式会社製）２２．５ｇ（粗製物１００質量部に対して１．５質量部）を添加し、１０分間撹拌して均一に分散させた。この後、８０℃で加圧濾過して、２−エチルヘキサン酸２−エチルヘキシルを得た。
【０１２６】
＜（Ｆ）成分＞
（Ｆ−１）アクトコールＴ−４０００（商品名、三井化学株式会社製）ポリオキシプロピレングリセリルエーテル、質量平均分子量４０００、式（ｆ３）に示す化合物。
（Ｆ−２）アクトコールＴ−３０００（商品名、三井化学株式会社製）ポリオキシプロピレングリセリルエーテル、質量平均分子量３０００、式（ｆ３）に示す化合物。
（Ｆ−３）アクトコールＴ−５０００（商品名、三井化学株式会社製）ポリオキシプロピレングリセリルエーテル、質量平均分子量５０００、式（ｆ３）に示す化合物。
【０１２７】
＜（Ａ２）成分＞
（Ａ−２１）直鎖状の天然アルコールＣＯ−１２７０（商品名、プロクター・アンド・ギャンブル社製）に対して、平均１２モル相当のエチレンオキシドを付加したもの。
（Ａ−２２）直鎖状の天然アルコールＣＯ−１２７０（商品名、プロクター・アンド・ギャンブル社製）に対して、平均１０モル相当のエチレンオキシドを付加したもの。
（Ａ−２３）炭素数の１２〜１４の直鎖１級アルコールに、エチレンオキシドの平均９モル、プロピレンオキシドの平均２モル、エチレンオキシドの平均９モルを、この順で付加させたポリオキシアルキレンアルキルエーテル。一般式（ａ２）中、Ｒ７１が炭素数１２〜１４の直鎖アルキル基、Ｒ７２が水素原子、Ｊが０、ｐ＝２、ｑ＝１８の化合物。
【０１２８】
＜（Ｈ）成分＞
（Ｈ−１）ライポンＬＨ−２００（商品名、ライオン株式会社製ＬＡＳ）、炭素数１０〜１４の直鎖アルキルベンゼンスルホン酸、平均分子量３２２。
【０１２９】
＜（Ｉ）成分＞
（Ｉ−１）安息香酸Ｎａ（商品名、東亞合成化学株式会社製）、安息香酸ナトリウム。
（Ｉ−２）２−フェノキシエタノール（和光純薬工業株式会社製）。
（Ｉ−３）テイカトックスＮ５０４０（商品名、テイカ株式会社製）、クメンスルホン酸ナトリウム。
（Ｉ−４）パラトルエンスルホン酸水溶液（明友産業株式会社製）。
【０１３０】
＜溶剤＞
（エタノール）特定アルコール９５度合成（商品名、日本アルコール販売株式会社製）。
（ＰＧ）プロピレングリコール（ＢＡＳＦ社製）。
（ＢＣ）ブチルジグリコール（商品名、日本乳化剤株式会社製）、ブチルカルビトール。
（水）イオン交換水。
【０１３１】
＜その他の任意成分＞
（ＰＯＥ変性シリコーン）ＣＦ１１８８Ｎ（商品名、東レ・ダウコーニング株式会社製）、ポリエーテル変性シリコーン、風合い向上剤。
（アミノＰＯＥ変性シリコーン）ＦＺ−３７８９（商品名、東レ・ダウコーニング株式会社製）、アミノポリエーテル変性シリコーン、風合い向上剤。
（ＳＲ剤）ＴｅｘＣａｒｅ  ＳＲＮ−１７０Ｃ（商品名、クラリアントジャパン株式会社製）、ソイルリリース剤。
（クエン酸）液体クエン酸（商品名、ライオン・スペシャリティ・ケミカルズ株式会社）、キレート剤。
（香料）特開２００２−１４６３９９号公報の表１１〜１８に記載の香料組成物Ａ。
（ＢＨＴ）ＳＵＭＩＬＺＥＲ  ＢＨＴ−Ｒ（商品名、住友化学株式会社製）、ジブチルヒドロキシトルエン、酸化防止剤。
（色素）カヤノールミーリング（商品名、日本化薬社製）、アシッドレッド１３８。
（ＢＩＴ）ＮＩＰＡＣＩＤＥ  ＢＩＴ  ２０（商品名、クラリアントジャパン株式会社製）、１，２−ベンゾイソチアゾリン−３−オン、防腐剤。
（ＭＢＳ）ＡＣＴＩＣＩＤＥ  ＭＢＳ（商品名、ＴＨＯＲ  ＧｍｂＨ社製）、２−メチル−４−イソチアゾリン−３−オン／１，２−ベンズイソチアゾリン−３−オン、防腐剤。
（ＮａＯＨ）水酸化ナトリウム（鶴見曹達社製）、アルカリ剤。
（ＭＥＡ）モノエタノールアミン（株式会社日本触媒製）、アルカリ剤。
【０１３２】
［評価方法］
＜毛玉防止性評価＞
全自動電気洗濯機（Ｐａｎａｓｏｎｉｃ社製（ＮＡ−ＶＸ７６００Ｌ））に、各液体洗浄を４０ｇ投入し、そこへ市販のニット（ＵＮＩＱＬＯ製「エクストラファインメリノＶネックセーター（長袖）」（毛１００％））を３枚入れ、さらに衣類量が合計１．５ｋｇになるように市販のシャツ（フジボウアパレル製「Ｂ．Ｖ．Ｄ  ＧＯＬＤ  丸首半袖シャツ」（綿１００％））を７枚入れた。
【０１３３】
１５℃の３°ＤＨ硬水を使用し、おうちクリーニングコース（洗濯１０分、注水すすぎ１回、脱水３分設定）にて洗濯処理した。洗濯後のニットを、直射日光の当たらない場所で一晩平干しして乾燥させた。この洗濯と乾燥を３回繰り返した後、乾燥後のニットについて、基準布と目視で比較し、下記判定基準にて点数をつけてその平均点を算出した。
なお、基準布は下記の通り作製した。
判定は点数が２点以上（◎、○、△）の場合を合格とした（◎：平均点４点以上、○：平均点３点以上４点未満、△：平均点２点以上３点未満、×：平均点２点未満）。
【０１３４】
（基準布作製方法）
新品の上記ニット（ＵＮＩＱＬＯ製「エクストラファインメリノＶネックセーター（長袖）」（毛１００％））を直径１４０ｍｍの円状に２枚ずつカットし、マーチンデール摩耗試験機（Ｊａｍｅｓ  Ｈ．Ｈｅａｌ＆Ｃｏ．Ｌｔｄ．Ｈａｌｉｆａｘ、Ｅｎｇｌａｎｄ製「Ｍａｘ−Ｍａｒｔｉｎｄａｌｅ９０９」）の上部（試験片ホルダ）と下部（ピリングテーブル）にセットした。摩耗方法はＪＩＳ  Ｌ１０７６のＪ法（修正マーチンデール法）に準拠し、摩耗回数を０、５０、１００、３００、５００回とし、５段階の毛玉発生レベルの異なる基準布を作製した。
【０１３５】
（評価基準）
１点：マーチンデール摩耗試験機で５００回摩耗した基準布と同等。
２点：マーチンデール摩耗試験機で３００回摩耗した基準布と同等。
３点：マーチンデール摩耗試験機で１００回摩耗した基準布と同等。
４点：マーチンデール摩耗試験機で５０回摩耗した基準布と同等。
５点：マーチンデール摩耗試験機で０回摩耗した基準布と同等。
【０１３６】
＜すすぎ性評価＞
全自動電気洗濯機（Ｐａｎａｓｏｎｉｃ社製（ＮＡ−ＶＸ７６００Ｌ））に、各液体洗浄剤組成物を４０ｇ投入し、そこへ市販のニット（ＵＮＩＱＬＯ製「エクストラファインメリノＶネックセーター（長袖）」（毛１００％））を３枚入れ、さらに衣類量が合計１．５ｋｇになるように市販のシャツ（フジボウアパレル製「Ｂ．Ｖ．Ｄ  ＧＯＬＤ  丸首半袖シャツ」（綿１００％））を７枚入れた。
そして１５℃の３°ＤＨ硬水を使用し、おうちクリーニングコース（洗濯１０分、注水すすぎ１回、脱水３分設定）にて洗濯処理した。この操作を同一のニットを使用したまま５回連続して繰り返した。脱水時に洗濯機の窓に泡残りがあるか、また洗濯機がすすぎ不足によりすすぎ回数を自動で延長するかどうかを観察し、下記評価基準にて評価した（◎、○を合格とした）。
【０１３７】
（判定）
◎：脱水時の泡残りがなく、すすぎ自動延長が起こらない。
○：脱水時の泡残りがなく、すすぎ自動延長が起こる。
△：脱水時の泡残りがあり、すすぎ自動延長起こらない。
×：脱水時の泡残りがあり、すすぎ自動延長が起こる。
【０１３８】
＜安定性評価＞
洗浄剤組成物を円筒ガラス瓶に取り、蓋を閉めてー５℃の恒温槽中で１か月間保存した。保存後の外観を目視で観察し、下記基準に基づいて保存安定性を評価し、◎、○、△のものを合格とした。
◎：均一で浮遊物や沈殿がなく、流動性がある。
○：浮遊物や沈殿がないものの、やや濁っている。流動性がある。
△：浮遊物や沈殿がある。流動性がある。
×：浮遊物や沈殿がない。流動性がない。
【０１３９】
（実施例１〜２３、比較例１〜４）
表１〜４に示す配合で各例の液体洗浄剤を調製した。
なお、表中の配合量は純分換算値である。また、表中に配合量が記載されていない成分は、配合されていない。また、表中の「適量」は、「ｐＨが６〜８の範囲になる量」の意味である。
各例の液体洗浄剤について、毛玉防止性、濯ぎ性、安定性を評価した結果を表中に示す。
【０１４０】
【表１】
2019182970.tif 000006
【０１４１】
【表２】
2019182970.tif 000007
【０１４２】
【表３】
2019182970.tif 000008
【０１４３】
【表４】
2019182970.tif 000009
【０１４４】
表１〜４に示すように、実施例１〜２３は、毛玉防止性、濯ぎ性、安定性が良好であった。これに対して、（Ａ１）成分を含有せず、（Ｃ）、（Ｄ）、（Ｅ）、（Ｆ）のいずれの成分も含有しない比較例１は、毛玉防止性、濯ぎ性に劣っていた。また、（Ｃ）、（Ｄ）、（Ｅ）、（Ｆ）のいずれの成分も含有しない比較例２は、毛玉防止性、濯ぎ性に劣り、比較例３は濯ぎ性に劣っていた。また、（Ｃ）、（Ｄ）、（Ｅ）、（Ｆ）のいずれの成分も含有せず、（Ｄ）成分には該当しない消泡性シリコーンを含有する比較例４は、安定性に劣っていた。
以上の結果から、本発明を適用することで、洗濯時のこすれによる毛玉の発生を抑制でき、また、泡切れが良く、濯ぎを１回のみとすることが可能なため、洗濯によるこすれを最小現に減らせることが確認された。